(57)【要約】【課題】大規模ネットワークにおいて論理回線を確立する際、管理装置およびＤＣＮの負荷を軽減しつつ高速で実行可能な通信システムを得ること。【解決手段】管理装置１１は、論理回線１４上の通信装置１２−１〜１２−７をシグナリング区間１４−１〜１４−３に分割し、各シグナリング区間１４−１〜１４−３の起点通信装置を決定する制御判定手段と、論理回線確立要求メッセージを起点通信装置へ送信する制御を行う制御処理手段と、を備え、通信装置１２−１〜１２−７は、起点通信装置の場合、設定要求メッセージを終点通信装置側へ送信し、起点通信装置および終点通信装置以外の場合、設定要求メッセージを終点通信装置側へ送信する制御を行う論理回線制御手段と、受信した論理回線確立要求メッセージまたは設定要求メッセージに従ってシグナリングを行い、自装置の設定を行う装置制御手段と、を備える。【選択図】図６
2014068167.tif 000002
【特許請求の範囲】
【請求項１】
同一ネットワークに属する１つ以上の他の通信装置と接続する複数の通信装置と、前記ネットワークに１つ以上設置されるゲートウェイとなる通信装置を介して当該ネットワークに属する通信装置と通信を行う管理装置と、から構成され、論理回線を確立した通信装置間でトラヒックの中継を行う通信システムにおいて、
前記管理装置は、
前記通信装置がシグナリングによって確立する前記論理回線上の通信装置を複数のシグナリング区間に分割して配置し、各シグナリング区間の起点の通信装置である起点通信装置を決定する制御判定手段と、
各シグナリング区間において論理回線の確立を要求する論理回線確立要求メッセージを前記起点通信装置へ送信する制御を行う制御処理手段と、
を備え、
前記通信装置は、
自装置が前記起点通信装置の場合、前記論理回線確立要求メッセージに基づいて、論理回線の確立を要求する設定要求メッセージを前記シグナリング区間の終点である終点通信装置側へ送信し、自装置が前記起点通信装置および前記終点通信装置以外の場合、前記設定要求メッセージを前記終点通信装置側へ送信する制御を行う論理回線制御手段と、
受信した前記論理回線確立要求メッセージまたは前記設定要求メッセージに従ってシグナリングを行い、自装置が配置されたシグナリング区間において前記論理回線を確立するために自装置の設定を行う装置制御手段と、
を備えることを特徴とする通信システム。
【請求項２】
前記通信装置において、
前記論理回線制御手段は、自装置の設定に成功したか否かを判定し、判定結果を示す論理回線確立応答を送信する制御を行い、
自装置が前記起点通信装置の場合、
前記論理回線制御手段は、自装置の設定に失敗したとき、または、前記他の通信装置から受信した前記論理回線確立応答が失敗のとき、前記管理装置に対して、論理回線確立失敗応答を送信し、
前記管理装置において、
前記制御判定手段は、１つ以上の前記起点通信装置から前記論理回線確立失敗応答を受信した場合、前記論理回線の確立に失敗したと判定する、
ことを特徴とする請求項１に記載の通信システム。
【請求項３】
前記通信装置において、
前記論理回線制御手段は、自装置が前記起点通信装置の場合、所定の時間内に前記他の通信装置から前記論理回線確立応答を受信できなかった場合、前記管理装置に対して、前記論理回線確立失敗応答を送信する、
ことを特徴とする請求項２に記載の通信システム。
【請求項４】
前記管理装置において、
前記制御判定手段は、所定の時間内に１つ以上の前記起点通信装置から前記論理回線確立応答を受信できなかった場合、前記論理回線の確立に失敗したと判定する、
ことを特徴とする請求項２または３に記載の通信システム。
【請求項５】
前記管理装置において、
前記制御判定手段が論理回線の確立に失敗と判定した場合、
前記制御処理手段は、各シグナリング区間において論理回線の削除を要求する論理回線削除要求メッセージを前記起点通信装置へ送信する制御を行い、
前記通信装置において、
前記論理回線制御手段は、自装置が前記起点通信装置の場合、前記論理回線削除要求メッセージに基づいて、前記論理回線を確立するための設定の解除を要求する設定解除要求メッセージを前記終点通信装置側へ送信し、自装置が前記起点通信装置および前記終点通信装置以外の場合、前記設定解除要求メッセージを前記終点通信装置側へ送信する制御を行い、
前記装置制御手段は、受信した前記論理回線削除要求メッセージまたは前記設定解除要求メッセージに従って、前記論理回線を確立するための設定を解除する、
ことを特徴とする請求項２，３または４に記載の通信システム。
【請求項６】
前記管理装置において、
前記制御判定手段が論理回線の確立に失敗と判定した場合、
前記制御処理手段は、論理回線の確立に失敗したシグナリング区間において論理回線の削除を要求する論理回線削除要求メッセージを当該シグナリング区間の起点通信装置へ送信する制御を行い、
前記通信装置において、
前記論理回線制御手段は、自装置が前記起点通信装置の場合、前記論理回線削除要求メッセージに基づいて、前記論理回線を確立するための設定の解除を要求する設定解除要求メッセージを前記終点通信装置側へ送信し、自装置が前記起点通信装置および前記終点通信装置以外の場合、前記設定解除要求メッセージを前記終点通信装置側へ送信する制御を行い、
前記装置制御手段は、受信した前記論理回線削除要求メッセージまたは前記設定解除要求メッセージに従って、前記論理回線を確立するための設定を解除し、
さらに、
前記管理装置において、
前記制御判定手段は、設定を解除したシグナリング区間に対する迂回経路、前記迂回経路に対して新たに設定するシグナリング区間および起点通信装置を決定し
前記制御処理手段は、前記新たに設定したシグナリング区間において論理回線の確立を要求する論理回線確立要求メッセージを、前記新たに設定したシグナリング区間の前記起点通信装置へ送信する制御を行う、
ことを特徴とする請求項２，３または４に記載の通信システム。
【請求項７】
前記通信装置において、
前記論理回線制御手段は、自装置の設定に成功したか否かを判定し、判定結果を示す論理回線確立応答を送信する制御を行い、
自装置が前記起点通信装置の場合、自装置の設定に失敗したとき、または、前記他の通信装置から受信した前記論理回線確立応答が失敗のとき、論理回線の確立に失敗したシグナリング区間において論理回線の削除を要求する設定解除要求メッセージを当該シグナリング区間の終点である終点通信装置側へ送信し、
自装置が前記起点通信装置および前記終点通信装置以外の場合、受信した前記設定解除要求メッセージを、前記終点通信装置側へ送信する制御を行い、
前記装置制御手段は、受信した前記設定解除要求メッセージに従って、前記論理回線を確立するための設定を解除し、
さらに、
前記論理回線制御手段は、自装置が前記起点通信装置の場合、設定を削除したシグナリング区間に対する迂回経路、前記迂回経路に対して自装置を起点通信装置として新たに設定するシグナリング区間を決定し、前記新たに設定したシグナリング区間において前記設定要求メッセージを、前記新たに設定したシグナリング区間の終点通信装置側へ送信する制御を行う、
ことを特徴とする請求項１に記載の通信システム。
【請求項８】
同一ネットワークに属する１つ以上の他の通信装置と接続する複数の通信装置と、前記ネットワークに１つ以上設置されるゲートウェイとなる通信装置を介して当該ネットワークに属する通信装置と通信を行う管理装置と、から構成され、論理回線を確立した通信装置間でトラヒックの中継を行う通信システムにおける前記管理装置であって、
前記通信装置がシグナリングによって確立する前記論理回線上の通信装置を複数のシグナリング区間に分割して配置し、各シグナリング区間の起点の通信装置である起点通信装置を決定する制御判定手段と、
各シグナリング区間において論理回線の確立を要求する論理回線確立要求メッセージを前記起点通信装置へ送信する制御を行う制御処理手段と、
を備えることを特徴とする管理装置。
【請求項９】
前記通信装置が、自装置の設定に成功したか否かを判定し、判定結果を示す論理回線確立応答として論理回線確立失敗応答を送信する場合に、
前記制御判定手段は、１つ以上の前記起点通信装置から前記論理回線確立失敗応答を受信した場合、前記論理回線の確立に失敗したと判定する、
ことを特徴とする請求項８に記載の管理装置。
【請求項１０】
前記制御判定手段は、所定の時間内に１つ以上の前記通信装置から前記論理回線確立応答を受信できなかった場合、前記論理回線の確立に失敗したと判定する、
ことを特徴とする請求項９に記載の管理装置。
【請求項１１】
前記制御判定手段が論理回線の確立に失敗と判定した場合、
前記制御処理手段は、各シグナリング区間において論理回線の削除を要求する論理回線削除要求メッセージを前記起点通信装置へ送信する制御を行う、
ことを特徴とする請求項９または１０に記載の管理装置。
【請求項１２】
前記制御判定手段が論理回線の確立に失敗と判定した場合、
前記制御処理手段は、論理回線の確立に失敗したシグナリング区間において論理回線の削除を要求する論理回線削除要求メッセージを当該シグナリング区間の起点通信装置へ送信する制御を行い、
前記通信装置が前記論理回線を確立するための設定を解除すると、
さらに、
前記制御判定手段は、設定を解除したシグナリング区間に対する迂回経路、前記迂回経路に対して新たに設定するシグナリング区間および起点通信装置を決定し
前記制御処理手段は、前記新たに設定したシグナリング区間において論理回線の確立を要求する論理回線確立要求メッセージを、前記新たに設定したシグナリング区間の前記起点通信装置へ送信する制御を行う、
ことを特徴とする請求項９または１０に記載の管理装置。
【請求項１３】
同一ネットワークに属する１つ以上の他の通信装置と接続する複数の通信装置と、前記ネットワークに１つ以上設置されるゲートウェイとなる通信装置を介して当該ネットワークに属する通信装置と通信を行う管理装置と、から構成され、論理回線を確立した通信装置間でトラヒックの中継を行う通信システムにおける前記通信装置であって、
前記管理装置が、前記通信装置がシグナリングによって確立する前記論理回線上の通信装置を複数のシグナリング区間に分割して配置し、各シグナリング区間の起点の通信装置である起点通信装置を決定し、各シグナリング区間において論理回線の確立を要求する論理回線確立要求メッセージを前記起点通信装置へ送信する場合に、
自装置が前記起点通信装置の場合、前記論理回線確立要求メッセージに基づいて、論理回線の確立を要求する設定要求メッセージを前記シグナリング区間の終点である終点通信装置側へ送信し、自装置が前記起点通信装置および前記終点通信装置以外の場合、前記設定要求メッセージを前記終点通信装置側へ送信する制御を行う論理回線制御手段と、
受信した前記論理回線確立要求メッセージまたは前記設定要求メッセージに従ってシグナリングを行い、自装置が配置されたシグナリング区間において前記論理回線を確立するために自装置の設定を行う装置制御手段と、
を備えることを特徴とする通信装置。
【請求項１４】
前記論理回線制御手段は、自装置の設定に成功したか否かを判定し、判定結果を示す論理回線確立応答を送信する制御を行い、
自装置が前記起点通信装置の場合、
前記論理回線制御手段は、自装置の設定に失敗したとき、または、前記他の通信装置から受信した前記論理回線確立応答が失敗のとき、前記管理装置に対して、論理回線確立失敗応答を送信する、
ことを特徴とする請求項１３に記載の通信装置。
【請求項１５】
前記論理回線制御手段は、自装置が前記起点通信装置の場合、所定の時間内に前記他の通信装置から前記論理回線確立応答を受信できなかった場合、前記管理装置に対して、前記論理回線確立失敗応答を送信する、
ことを特徴とする請求項１４に記載の通信装置。
【請求項１６】
前記管理装置が論理回線の確立に失敗と判定し、各シグナリング区間において論理回線の削除を要求する論理回線削除要求メッセージを送信する場合に、
前記論理回線制御手段は、自装置が前記起点通信装置の場合、前記論理回線削除要求メッセージに基づいて、前記論理回線を確立するための設定の解除を要求する設定解除要求メッセージを前記終点通信装置側へ送信し、自装置が前記起点通信装置および前記終点通信装置以外の場合、前記設定解除要求メッセージを前記終点通信装置側へ送信する制御を行い、
前記装置制御手段は、受信した前記論理回線削除要求メッセージまたは前記設定解除要求メッセージに従って、前記論理回線を確立するための設定を解除する、
ことを特徴とする請求項１４または１５に記載の通信装置。
【請求項１７】
前記管理装置が論理回線の確立に失敗と判定し、論理回線の確立に失敗したシグナリング区間において論理回線の削除を要求する論理回線削除要求メッセージを当該シグナリング区間の起点通信装置へ送信する場合に、
前記論理回線制御手段は、自装置が前記起点通信装置の場合、前記論理回線削除要求メッセージに基づいて、前記論理回線を確立するための設定の解除を要求する設定解除要求メッセージを前記終点通信装置側へ送信し、自装置が前記起点通信装置および前記終点通信装置以外の場合、前記設定解除要求メッセージを前記終点通信装置側へ送信する制御を行い、
前記装置制御手段は、受信した前記論理回線削除要求メッセージまたは前記設定解除要求メッセージに従って、前記論理回線を確立するための設定を解除する、
ことを特徴とする請求項１４または１５に記載の通信装置。
【請求項１８】
前記論理回線制御手段は、自装置の設定に成功したか否かを判定し、判定結果を示す論理回線確立応答を送信する制御を行い、
自装置が前記起点通信装置の場合、自装置の設定に失敗したとき、または、前記他の通信装置から受信した前記論理回線確立応答が失敗のとき、論理回線の確立に失敗したシグナリング区間において論理回線の削除を要求する設定解除要求メッセージを当該シグナリング区間の終点である終点通信装置側へ送信し、
自装置が前記起点通信装置および前記終点通信装置以外の場合、受信した前記設定解除要求メッセージを、前記終点通信装置側へ送信する制御を行い、
前記装置制御手段は、受信した前記設定解除要求メッセージに従って、前記論理回線を確立するための設定を解除し、
さらに、
前記論理回線制御手段は、自装置が前記起点通信装置の場合、設定を削除したシグナリング区間に対する迂回経路、前記迂回経路に対して自装置を起点通信装置として新たに設定するシグナリング区間を決定し、前記新たに設定したシグナリング区間において前記設定要求メッセージを、前記新たに設定したシグナリング区間の終点通信装置側へ送信する制御を行う、
ことを特徴とする請求項１３に記載の通信装置。
【発明の詳細な説明】
【技術分野】
【０００１】
本発明は、通信システムに関する。
【背景技術】
【０００２】
ＯＴＮ（Optical  Transport  Network）等のコネクションオリエンテッドなネットワークにおいては、ユーザトラヒックを中継する際に、各通信装置（以下、ＮＥ（Network  Element）とする）間において通信に用いる論理回線を確立する必要がある。論理回線は、管理装置が監視制御用ネットワーク（以下、ＤＣＮ（Data  Communication  Network）とする）を介してＮＥに対して各ＮＥの装置の設定を指示し、各ＮＥが指示通りに装置設定を行うことで確立される。論理回線の確立は、あるＮＥ間の通信を初めて行う際や、運用中の論理回線が故障した際に当該論理回線によって中継されていたトラヒックを救済するために別経路で論理回線を確立する（レストレーション）場合等に実施される。
【０００３】
この際、論理回線の確立は可能な限り高速に実施することが求められる。また、管理装置やＤＣＮは論理回線確立以外にもネットワークの状態監視等の機能を担うため、管理装置の処理負荷やＤＣＮの通信負荷は可能な限り軽減させることも必要である。
論理回線を確立する手段の１つとして、論理回線確立の際、管理装置が、確立しようとする論理回線上のすべてのＮＥに対して個別にスイッチング情報などの設定を行う方式がある。この場合、確立しようとする論理回線上のすべてのＮＥと管理装置とが個別に通信を行う必要があるため、論理回線上のＮＥの台数が多くなると管理装置の処理負荷が増大すると同時に、ＤＣＮの通信負荷が増大する。
【０００４】
管理装置の処理負荷、およびＤＣＮの通信負荷を軽減するための、論理回線確立方式としてエンド・トゥ・エンドでシグナリングを行い、起点となるＮＥから中継点のＮＥを経由して終点となるＮＥのすべてで論理回線設定が可能な場合のみに論理回線の確立を行なう技術が、下記非特許文献１において開示されている。
【先行技術文献】
【非特許文献】
【０００５】
【非特許文献１】L.Berger著  RFC3473  「Generalized  Label  Switching  (GMPLS）  Signaling  Resource  ReserVation  Protocol-Traffic  Engineering  (RSVP-TE)  Extensions」  ２００３年
【発明の概要】
【発明が解決しようとする課題】
【０００６】
しかしながら、上記従来の技術によれば、１ホップごとにシグナリング通信をして論理回線の設定を行うため、論理回線上のＮＥの台数が多い場合には時間を要してしまう、という問題があった。
【０００７】
本発明は、上記に鑑みてなされたものであって、大規模ネットワークにおいて論理回線を確立する際、管理装置およびＤＣＮの負荷を軽減しつつ高速で実行可能な通信システムを得ることを目的とする。
【課題を解決するための手段】
【０００８】
上述した課題を解決し、目的を達成するために、本発明は、同一ネットワークに属する１つ以上の他の通信装置と接続する複数の通信装置と、前記ネットワークに１つ以上設置されるゲートウェイとなる通信装置を介して当該ネットワークに属する通信装置と通信を行う管理装置と、から構成され、論理回線を確立した通信装置間でトラヒックの中継を行う通信システムにおいて、前記管理装置は、前記通信装置がシグナリングによって確立する前記論理回線上の通信装置を複数のシグナリング区間に分割して配置し、各シグナリング区間の起点の通信装置である起点通信装置を決定する制御判定手段と、各シグナリング区間において論理回線の確立を要求する論理回線確立要求メッセージを前記起点通信装置へ送信する制御を行う制御処理手段と、を備え、前記通信装置は、自装置が前記起点通信装置の場合、前記論理回線確立要求メッセージに基づいて、論理回線の確立を要求する設定要求メッセージを前記シグナリング区間の終点である終点通信装置側へ送信し、自装置が前記起点通信装置および前記終点通信装置以外の場合、前記設定要求メッセージを前記終点通信装置側へ送信する制御を行う論理回線制御手段と、受信した前記論理回線確立要求メッセージまたは前記設定要求メッセージに従ってシグナリングを行い、自装置が配置されたシグナリング区間において前記論理回線を確立するために自装置の設定を行う装置制御手段と、を備えることを特徴とする。
【発明の効果】
【０００９】
本発明によれば、大規模ネットワークにおいて論理回線を確立する際、管理装置およびＤＣＮの負荷を軽減しつつ高速で実行できる、という効果を奏する。
【図面の簡単な説明】
【００１０】
【図１】図１は、実施の形態１にかかる通信システムを適用するネットワークシステムの構成例を示す図である。
【図２】図２は、実施の形態１のＮＥの構成例を示す図である。
【図３】図３は、実施の形態１の管理装置１１の構成例を示す図である。
【図４】図４は、制御結果記憶部５１５が各論理回線のシグナリング起点ＮＥ数を記憶するためのシグナリング起点ＮＥ数記憶テーブル６の構成例を示す図である。
【図５】図５は、実施の形態１において制御結果記憶部５１５がある論理回線の各シグナリング起点ＮＥからの論理回線確立応答があるか否かを記憶するためのシグナリング起点ＮＥ応答結果記憶テーブル７Ａの構成例を示す図である。
【図６】図６は、実施の形態１の通信システムの動作概要を示すシーケンス図である。
【図７】図７は、実施の形態１においてＮＥおよび管理装置１１が論理回線確立制御に用いるメッセージのメッセージペイロード３のフレームフォーマットを示す図である。
【図８】図８は、実施の形態１の通信システムにおいて、あるＮＥで装置の設定に失敗した場合の動作概要を示すシーケンス図である。
【図９】図９は、実施の形態１の通信システムにおいて、あるシグナリング区間で一定時間内に装置の設定が完了しなかった場合の動作概要を示すシーケンス図である。
【図１０】図１０は、実施の形態１の通信システムにおいて、あるシグナリング区間から管理装置１１に対して一定時間内に論理回線の確立結果に関する応答がなかった場合の動作概要を示すシーケンス図である。
【図１１】図１１は、実施の形態１において論理回線１４を確立する際の管理装置１１の動作を示すフローチャートである。
【図１２】図１２は、実施の形態１において論理回線１４を確立する際の管理装置１１の動作を示すフローチャートである。
【図１３】図１３は、実施の形態１においてＮＥが管理装置１１より論理回線確立要求メッセージを受信した場合に、下流のＮＥにＮＥ設定を要求するシグナリング起点ＮＥの動作を示すフローチャートである。
【図１４】図１４は、実施の形態１においてＮＥがＮＥ設定要求メッセージを受信した場合の動作を示すフローチャートである。
【図１５】図１５は、実施の形態１においてＮＥがＮＥ設定応答メッセージを受信した場合の動作を示すフローチャートである。
【図１６】図１６は、実施の形態２において制御結果記憶部５１５がある論理回線の各シグナリング起点ＮＥからの論理回線確立応答の結果を記憶するためのシグナリング起点ＮＥ応答結果記憶テーブル７Ｂの構成例を示す図である。
【図１７】図１７は、実施の形態２の通信システムにおいて、あるＮＥで装置の設定に失敗した場合の動作概要を示すシーケンス図である。
【図１８】図１８は、実施の形態２において論理回線１４を確立する際の管理装置１１の動作を示すフローチャートである。
【図１９】図１９は、実施の形態２において論理回線１４を確立する際の管理装置１１の動作を示すフローチャートである。
【図２０】図２０は、実施の形態２において論理回線１４を確立する際の管理装置１１の動作を示すフローチャートである。
【図２１】図２１は、実施の形態３のＮＥの構成例を示す図である。
【図２２】図２２は、実施の形態３の通信システムにおいて、あるＮＥで装置の設定に失敗した場合の動作概要を示すシーケンス図である。
【図２３】図２３は、実施の形態３においてＮＥが管理装置１１より論理回線確立要求メッセージを受信した場合に、下流のＮＥにＮＥ設定を要求するシグナリング起点ＮＥの動作を示すフローチャートである。
【発明を実施するための形態】
【００１１】
以下に、本発明にかかる通信システムの実施の形態を図面に基づいて詳細に説明する。なお、この実施の形態によりこの発明が限定されるものではない。
【００１２】
実施の形態１．
図１は、本実施の形態にかかる通信システムを適用するネットワークシステムの構成例を示す図である。ネットワークシステムは、管理装置１１と、ネットワーク１２と、から構成される。管理装置１１は、ネットワーク１２を監視・管理する装置である。ネットワーク１２は、数十台のＮＥとそれらの間を接続するリンクから構成される。
【００１３】
ここでは、ネットワーク１２について、１３台のＮＥと２４本のリンクから構成されるネットワークを例として説明を行うが、ネットワークはｎ台（ｎは２以上の整数）のＮＥ、およびｍ本（ｍは１以上の整数）のリンクで構成することができる。また、ネットワークの部分集合として、ｎ台のＮＥおよびｍ本のリンクから構成されるサブネットワークを設け、複数のサブネットワークからネットワークを構成してもよい。
【００１４】
ネットワーク１２は、１３台のノード（ＮＥ）として、ＮＥ１２−１、ＮＥ１２−２、…、ＮＥ１２−１３からなるネットワークである。このうち、ＮＥ１２−１３は、ＤＣＮ１５を介して管理装置１１と接続し、管理装置１１とネットワーク１２に属するＮＥ１２−ｎとが通信を行う際にゲートウェイとなるＧＮＥ（Gateway  Network  Element）である。なお、ネットワーク中に１台のＧＮＥを配置する構成を例に説明を行うが、複数のＧＮＥを配置することも可能である。ＮＥ１２−１、ＮＥ１２−２、…、ＮＥ１２−１３は、１つ以上のリンクにより他のＮＥに接続されるＮＥである。なお、以降の説明において、ＮＥとは、ＧＮＥを含めたノードの総称とする。
【００１５】
リンク１３−ｐ−ｑ（ｐ、ｑは１以上の整数、ｑはｐより大きい整数）は、両端に２つのＮＥ、ＮＥ１２−ｐとＮＥ１２−ｑとが接続されるリンクである。ここでは各ＮＥ同士を１つのリンクが接続する場合を例に説明を行うが、各ＮＥ同士間複数のリンクが接続するような構成でもよい。
【００１６】
ＤＣＮ１５は、管理装置１１とネットワーク１２に属するＮＥ１２−ｎとが監視や制御のための通信を行う際に使用されるＤＣＮである。
【００１７】
つぎに、ＮＥの構成について説明する。図２は、本実施の形態のＮＥの構成例を示す図である。ＮＥは、装置制御部４１と、論理回線制御部４２と、監視制御通信部４３と、通信ポート４４−１、４４−２、…、４４−ｋと、を備える。装置制御部４１は、ユーザトラヒックを送受信する図示しない通信装置部の制御を行なう。論理回線制御部４２は、論理回線の確立、削除等の制御を行なう。監視制御通信部４３は、監視制御に関する通信を行う。通信ポート４４−１〜４４−ｋは、リンクまたはＤＣＮ１５を介して他のＮＥまたは管理装置１１と接続する通信ポートである。
【００１８】
論理回線制御部４２は、制御処理部４２１と、制御判定部４２２と、制御タイマ４２３と、制御内容記憶部４２４と、を備える。制御処理部４２１は、論理回線制御に関わるメッセージのメッセージペイロードを解析して制御を行い、また、制御結果に応じてメッセージペイロードを生成する。制御判定部４２２は、論理回線制御に関わる制御結果の判定を行なう。制御タイマ４２３は、論理回線制御が一定時間内に行なわれるか否かを判定する際に用いる。制御内容記憶部４２４は、受信メッセージから装置制御部４１に渡すための自装置の制御内容を記憶する。
【００１９】
監視制御通信部４３は、メッセージ受信部４３１と、メッセージ送信部４３２と、メッセージ処理部４３３と、を備える。メッセージ受信部４３１は、通信ポート４４−１〜４４−ｋを介して受信したメッセージをメッセージ処理部４３３に渡す。メッセージ送信部４３２は、メッセージ処理部４３３から受け取ったメッセージを通信ポート４４−１〜４４−ｋを介して送信する。メッセージ処理部４３３は、メッセージ受信部４３１から受け取ったメッセージからメッセージペイロード３を取り出して制御処理部４２１に渡し、また、制御処理部４２１から受け取ったメッセージペイロード３を元にメッセージを生成してメッセージ送信部４３２に渡す。
【００２０】
つぎに、管理装置１１の構成について説明する。図３は、本実施の形態の管理装置１１の構成例を示す図である。管理装置１１は、論理回線制御部５１と、監視制御通信部５２と、通信ポート５３と、を備える。論理回線制御部５１は、論理回線の確立、削除等の制御を行なう。監視制御通信部５２は、監視制御に関する通信を行う。通信ポート５３は、ＤＣＮ１５を介してＮＥと接続する通信ポートである。
【００２１】
論理回線制御部５１は、制御処理部５１１と、制御判定部５１２と、制御タイマ５１３と、経路決定部５１４と、制御結果記憶部５１５と、を備える。制御処理部５１１は、論理回線制御に関わるメッセージのメッセージペイロードを解析して制御を行い、また、制御結果に応じてメッセージペイロードを生成する。制御判定部５１２は、論理回線制御に関わる制御結果の判定を行なう。制御タイマ５１３は、論理回線制御が一定時間内に行なわれるか否かを判定する際に用いる。経路決定部５１４は、論理回線の経路を決定する。制御結果記憶部５１５は、各シグナリング区間における制御結果を記憶する。
【００２２】
監視制御通信部５２は、メッセージ受信部５２１と、メッセージ送信部５２２と、メッセージ処理部５２３と、を備える。メッセージ受信部５２１は、通信ポート５３を介して受信したメッセージをメッセージ処理部５２３に渡す。メッセージ送信部５２２は、メッセージ処理部５２３から受け取ったメッセージを通信ポート５３を介して送信する。メッセージ処理部５２３は、メッセージ受信部５２１から受け取ったメッセージからメッセージペイロード３を取り出して制御処理部５１１に渡し、また、制御処理部５１１から受け取ったメッセージペイロード３を元にメッセージを生成してメッセージ送信部５２２に渡す。
【００２３】
図４は、制御結果記憶部５１５が各論理回線のシグナリング起点ＮＥ数を記憶するためのシグナリング起点ＮＥ数記憶テーブル６の構成例を示す図である。シグナリング起点ＮＥ数記憶テーブル６は、論理回線識別子領域６１と、シグナリング起点ＮＥ数記憶領域６２と、から構成される。論理回線識別子領域６１は、各エントリの対象論理回線の識別子を格納する領域である。シグナリング起点ＮＥ数記憶領域６２は、各エントリのシグナリング起点数を格納する領域である。
【００２４】
図５は、本実施の形態において制御結果記憶部５１５がある論理回線の各シグナリング起点ＮＥからの論理回線確立応答があるか否かを記憶するためのシグナリング起点ＮＥ応答結果記憶テーブル７Ａの構成例を示す図である。シグナリング起点ＮＥ応答結果記憶テーブル７Ａは、シグナリング起点ＮＥ識別子領域７１と、応答の有無記憶領域７２と、から構成される。シグナリング起点ＮＥ識別子領域７１は、各エントリのシグナリング起点ＮＥの識別子を格納する領域である。応答の有無記憶領域７２は、各シグナリング起点ＮＥからの論理回線確立応答の有無を記憶する領域である。左側の番号を示す項目は、シグナリング起点ＮＥ数記憶テーブル６のシグナリング起点ＮＥ数記憶領域６２が示すシグナリング起点数と同数であり、制御結果記憶部５１５では、論理回線の数だけ制御結果記憶部５１５を保持する。
【００２５】
つづいて、本実施の形態の通信システムにおいて論理回線を確立する動作について説明する。図６は、本実施の形態の通信システムの動作概要を示すシーケンス図である。
【００２６】
図６において、論理回線１４は、ＮＥ１２−１を起点、ＮＥ１２−７を終点とし、順にＮＥ１２−２、ＮＥ１２−３、ＮＥ１２−４、ＮＥ１２−５、ＮＥ１２−６、を経由する論理回線である。本実施の形態では、論理回線１４を、２個以上のシグナリングメッセージを送信する区間（以下、シグナリング区間とする）に分割する。ここでは、一例として、シグナリング区間１４−１、シグナリング区間１４−２、シグナリング区間１４−３の３つに分割する。
【００２７】
シグナリング区間１４−１は、ＮＥ１２−１を起点とし、ＮＥ１２−２を経由してＮＥ１２−３を終点としてシグナリングを実施する区間である。シグナリング区間１４−２は、ＮＥ１２−３を起点とし、ＮＥ１２−４を経由してＮＥ１２−５を終点としてシグナリングを実施する区間である。シグナリング区間１４−３は、ＮＥ１２−５を起点とし、ＮＥ１２−６を経由してＮＥ１２−７を終点としてシグナリングを実施する区間である。
【００２８】
メッセージ（以下、Ｍとする）２０１−１、Ｍ２０１−２、Ｍ２０１−３は、管理装置１１が論理回線の確立を要求する際に、それぞれ管理装置１１からＮＥ１２−１、ＮＥ１２−３、ＮＥ１２−５に送信される論理回線確立要求メッセージである。Ｍ２０２−１、Ｍ２０２−２、Ｍ２０２−３、Ｍ２０３−１、Ｍ２０３−２、Ｍ２０３−３は、論理回線を確立する際にＮＥの設定を要求するためにＮＥ間で送受信されるＮＥ設定要求メッセージである。Ｍ２０４−１、Ｍ２０４−２、Ｍ２０４−３、Ｍ２０５−１、Ｍ２０５−２、Ｍ２０５−３は、論理回線を確立する際にＮＥの設定が完了したことを応答するためにＮＥ間で送受信されるＮＥ設定完了応答メッセージである。Ｍ２０６−１、Ｍ２０６−２、Ｍ２０６−３は、ＮＥ１２−１、ＮＥ１２−３、ＮＥ１２−５が各シグナリング区間において論理回線の確立が成功したことを管理装置１１に応答する際に送信される論理回線確立成功応答メッセージである。
【００２９】
ここで、ＮＥおよび管理装置１１の間で送受信されるメッセージについて説明する。図７は、本実施の形態においてＮＥおよび管理装置１１が論理回線確立制御に用いるメッセージのメッセージペイロード３のフレームフォーマットを示す図である。メッセージペイロード３は、メッセージ識別子３１と、論理回線識別子３２と、経路情報３３と、から構成される。メッセージ識別子３１は、メッセージの内容を示す識別子を格納する領域である。論理回線識別子３２は、制御対象となる論理回線を示す識別子を格納する領域である。経路情報３３は、各シグナリング区間において起点となるＮＥから順に中継ＮＥを経て終点となるＮＥまでの経由順序の情報を格納する領域である。
【００３０】
経路情報３３は、ＮＥ設定情報３３１−１、…、３３１−ｉ（ｉは１以上の整数）から構成される。ＮＥ設定情報３３１−１、…、３３１−ｉは、各ＮＥにおける設定情報を格納する領域であり、各ＮＥ設定情報は、設定対象のＮＥの識別子を格納する領域であるＮＥ識別子３３１１−１、…、３３１１−ｉと、各ＮＥに対する設定内容を格納する領域である設定情報３３１２−１、…、３３１２−ｉと、から構成される。
【００３１】
図６のシーケンス図において、まず、ネットワーク１２内でＮＥ１２−１を起点、ＮＥ１２−７を終点とし、順にＮＥ１２−２、ＮＥ１２−３、ＮＥ１２−４、ＮＥ１２−５、ＮＥ１２−６、を経由する論理回線１４を確立する場合を例に、通常時動作の概要を説明する。なお、以下の説明において、論理回線１４の「上流」とは起点ＮＥに近い側、「下流」とは終点ＮＥに近い側を意味する。
【００３２】
論理回線１４を確立する際、論理回線１４上のＮＥは、論理回線１４の経路に沿ってシグナリングを行なって論理回線１４の設定を行う。
【００３３】
これに先立ち、管理装置１１は、２個以上のシグナリング区間と各シグナリング区間において起点となるＮＥ（以下、シグナリング起点ＮＥとする）とを選択する。ここでは、シグナリング区間としてシグナリング区間１４−１、１４−２、１４−３を、各シグナリング区間のシグナリング起点ＮＥとしてＮＥ１２−１、ＮＥ１２−３、ＮＥ１２−５を選択する。
【００３４】
管理装置１１は、選択したシグナリング起点ＮＥのＮＥ１２−１、ＮＥ１２−３、ＮＥ１２−５に対して、論理回線確立要求メッセージＭ２０１−１、Ｍ２０１−２、Ｍ２０１−３を送信する。論理回線確立要求メッセージＭ２０１−１、Ｍ２０１−２、Ｍ２０１−３は図７に示す構成であり、論理回線１４の経路情報３３を含んでいる。なお、本メッセージのメッセージ識別子３１は、「論理回線確立要求」を意味する値をとる。以下、論理回線確立要求メッセージは同様の構成をとる。
【００３５】
論理回線確立要求メッセージＭ２０１−１、Ｍ２０１−２、Ｍ２０１−３をそれぞれ受信したＮＥ１２−１、ＮＥ１２−３、ＮＥ１２−５は、ほぼ同時に論理回線１４上で自ＮＥの下流に位置するＮＥ１２−２、ＮＥ１２−４、ＮＥ１２−６にそれぞれＮＥ設定要求メッセージＭ２０２−１、Ｍ２０２−２、Ｍ２０２−３を送信する。ＮＥ設定要求メッセージＭ２０２−１、Ｍ２０２−２、Ｍ２０２−３は、図７に示す構成においてメッセージ識別子３１が「ＮＥ設定要求」を意味する値をとる。以下、ＮＥ設定要求メッセージは同様の構成をとる。
【００３６】
ＮＥ設定要求メッセージＭ２０２−１、Ｍ２０２−２、Ｍ２０２−３をそれぞれ受信したＮＥ１２−２、ＮＥ１２−４、ＮＥ１２−６は、ほぼ同時に論理回線１４上で自ＮＥの下流に位置するＮＥ１２−３、ＮＥ１２−５、ＮＥ１２−７にそれぞれＮＥ設定要求メッセージＭ２０３−１、Ｍ２０３−２、Ｍ２０３−３を送信する。
【００３７】
このように複数のシグナリング起点ＮＥから送信されたＮＥ設定要求メッセージは、各シグナリング区間の終点ＮＥ（以下、シグナリング終点ＮＥとする）、すなわち、次のシグナリング起点ＮＥまたはシグナリングの終点となるＮＥまで転送される。
【００３８】
ＮＥ設定要求メッセージＭ２０３−１、Ｍ２０３−２、Ｍ２０３−３をそれぞれ受信したＮＥ１２−３、ＮＥ１２−５、ＮＥ１２−７は、受信したＮＥ設定要求メッセージＭ２０３−１、Ｍ２０３−２、Ｍ２０３−３の設定情報３３１２−３に従ってシグナリングを行い、論理回線１４を確立するため自装置の設定を行う。なお、以降の説明においては、各ＮＥがシグナリングを行って論理回線１４を確立するため設定を行う動作を、「設定を行う」として表す。
【００３９】
設定が完了すると、ＮＥ１２−３、ＮＥ１２−５、ＮＥ１２−７は、ＮＥ設定完了応答メッセージＭ２０４−１、Ｍ２０４−２、Ｍ２０４−３を論理回線１４上で自ＮＥの上流に位置するＮＥ１２−２、ＮＥ１２−４、ＮＥ１２−６にそれぞれ送信する。ＮＥ設定完了応答メッセージＭ２０４−１、Ｍ２０４−２、Ｍ２０４−３は、図７に示す構成においてメッセージ識別子３１が「ＮＥ設定完了応答」を意味する値をとる。以下、ＮＥ設定完了応答メッセージは同様の構成をとる。
【００４０】
ＮＥ設定完了応答メッセージＭ２０４−１、Ｍ２０４−２、Ｍ２０４−３をそれぞれ受信したＮＥ１２−２、ＮＥ１２−４、ＮＥ１２−６は、先に受信したＮＥ設定要求メッセージＭ２０２−１、Ｍ２０２−２、Ｍ２０２−３の設定情報３３１２−２に基づいて自装置の設定を行う。
【００４１】
設定が完了すると、ＮＥ１２−２、ＮＥ１２−４、ＮＥ１２−６は、ＮＥ設定完了応答メッセージＭ２０５−１、Ｍ２０５−２、Ｍ２０５−３を論理回線１４上で自ＮＥの上流に位置するＮＥ１２−１、ＮＥ１２−３、ＮＥ１２−５にそれぞれ送信する。
【００４２】
このように、各ＮＥは、先に受信したＮＥ設定要求メッセージの設定情報３３１２−ｉに基づいて自装置の設定を行い、設定が完了すると上流のＮＥにＮＥ設定完了応答メッセージを送信するため、複数のシグナリング終点ＮＥから送信されたＮＥ設定完了応答メッセージは、各シグナリング区間のシグナリング起点ＮＥまで転送される。
【００４３】
ＮＥ設定完了応答メッセージＭ２０５−１を受信したＮＥ１２−１は、先に受信した論理回線確立要求メッセージＭ２０１−１の設定情報３３１２−１に基づいて自装置の設定を行う。ＮＥ設定完了応答メッセージＭ２０５−２、Ｍ２０５−３をそれぞれ受信したＮＥ１２−３、ＮＥ１２−５は、先に受信した論理回線確立要求メッセージＭ２０１−２、Ｍ２０１−３の設定情報３３１２−１に基づいて自装置の設定が行われていることを確認する。
【００４４】
なお、ＮＥ１２−３、ＮＥ１２−５は、前述のように、受信したＮＥ設定要求メッセージＭ２０３−１、Ｍ２０３−２の設定情報３３１２−３に基づいてそれぞれ自装置の設定を行っているが、ＮＥ設定要求メッセージＭ２０３−１と論理回線確立要求メッセージＭ２０１−２、およびＮＥ設定要求メッセージＭ２０３−２と論理回線確立要求メッセージＭ２０１−３において、それぞれ自装置に関する設定情報３３１２−ｉの情報は同一である。そのため、ＮＥ１２−３、ＮＥ１２−５は、ここでは確認のみを行う。以降の説明においても同様である。
【００４５】
各シグナリング起点ＮＥであるＮＥ１２−１、ＮＥ１２−３、ＮＥ１２−５は、自装置の設定を確認すると、各シグナリング区間上のすべてのＮＥにおいて要求された論理回線１４の設定が完了したとして、管理装置１１に対して、論理回線確立成功応答メッセージＭ２０６−１、Ｍ２０６−２、Ｍ２０６−３を送信する。論理回線確立成功応答メッセージＭ２０６−１、Ｍ２０６−２、Ｍ２０６−３は、図７に示す構成においてメッセージ識別子３１が「論理回線確立成功応答」を意味する値をとる。以下、論理回線確立成功応答メッセージは同様の構成をとる。
【００４６】
つぎに、論理回線を確立する動作において、あるＮＥで装置の設定に失敗した場合の動作概要を説明する。図８は、本実施の形態の通信システムにおいて、あるＮＥで装置の設定に失敗した場合の動作概要を示すシーケンス図である。
【００４７】
図８において、Ｍ２０５−４は、論理回線を確立する際にＮＥの設定に失敗したことを通知するためにＮＥ間で送受信されるＮＥ設定失敗応答メッセージである。Ｍ２０６−４は、ＮＥ１２−３が自シグナリング区間において論理回線の確立に失敗したことを管理装置１１に応答する際に送信される論理回線確立失敗応答メッセージである。Ｍ２０７−１、Ｍ２０７−２、Ｍ２０７−３は、管理装置１１が論理回線の削除を要求する際に、それぞれ管理装置１１からＮＥ１２−１、ＮＥ１２−３、ＮＥ１２−５に送信される論理回線削除要求メッセージである。Ｍ２０８−１、Ｍ２０８−２、Ｍ２０８−３、Ｍ２０９−１、Ｍ２０９−２、Ｍ２０９−３は、論理回線を削除する際に、ＮＥの設定解除を要求するためにＮＥ間で送受信されるＮＥ設定解除要求メッセージである。Ｍ２１０−１、Ｍ２１０−２、Ｍ２１０−３、Ｍ２１１−１、Ｍ２１１−２、Ｍ２１１−３は、論理回線を削除する際に、ＮＥの設定解除が完了したことを応答するためにＮＥ間で送受信されるＮＥ設定解除成功応答メッセージである。Ｍ２１２−１、Ｍ２１２−２、Ｍ２１２−３は、ＮＥ１２−１、ＮＥ１２−３、ＮＥ１２−５が、各シグナリング区間において論理回線の削除が成功したことを管理装置１１に応答する際に送信される論理回線削除成功応答メッセージである。
【００４８】
図８では、あるシグナリング区間において設定に失敗した場合の動作概要として、論理回線１４を確立する際にシグナリング区間１４−２のＮＥ１２−４において設定に失敗した場合を例に説明する。
【００４９】
管理装置１１は、シグナリング起点ＮＥであるＮＥ１２−１、ＮＥ１２−３、ＮＥ１２−５に対して、論理回線確立要求メッセージＭ２０１−１、Ｍ２０１−２、Ｍ２０１−３を送信する。
【００５０】
論理回線確立要求メッセージＭ２０１−１、Ｍ２０１−２、Ｍ２０１−３をそれぞれ受信したＮＥ１２−１、ＮＥ１２−３、ＮＥ１２−５は、ほぼ同時に論理回線１４上で自ＮＥの下流に位置するＮＥ１２−２、ＮＥ１２−４、ＮＥ１２−６にそれぞれＮＥ設定要求メッセージＭ２０２−１、Ｍ２０２−２、Ｍ２０２−３を送信する。
【００５１】
ＮＥ設定要求メッセージＭ２０２−１、Ｍ２０２−２、Ｍ２０２−３をそれぞれ受信したＮＥ１２−２、ＮＥ１２−４、ＮＥ１２−６は、ほぼ同時に論理回線１４上で自ＮＥの下流に位置するＮＥ１２−３、ＮＥ１２−５、ＮＥ１２−７にそれぞれＮＥ設定要求メッセージＭ２０３−１、Ｍ２０３−２、Ｍ２０３−３を送信する。
【００５２】
ＮＥ設定要求メッセージＭ２０３−１、Ｍ２０３−２、Ｍ２０３−３をそれぞれ受信したＮＥ１２−３、ＮＥ１２−５、ＮＥ１２−７は、受信したＮＥ設定要求メッセージＭ２０３−１、Ｍ２０３−２、Ｍ２０３−３の設定情報３３１２−３に基づいて自装置の設定を行う。
【００５３】
設定が完了すると、ＮＥ１２−３、ＮＥ１２−５、ＮＥ１２−７は、ＮＥ設定完了応答メッセージＭ２０４−１、Ｍ２０４−２、Ｍ２０４−３を論理回線１４上で自ＮＥの上流に位置するＮＥ１２−２、ＮＥ１２−４、ＮＥ１２−６にそれぞれ送信する。
【００５４】
ＮＥ設定完了応答メッセージＭ２０４−１、Ｍ２０４−２、Ｍ２０４−３をそれぞれ受信したＮＥ１２−２、ＮＥ１２−４、ＮＥ１２−６は、先に受信したＮＥ設定要求メッセージＭ２０２−１、Ｍ２０２−２、Ｍ２０２−３の設定情報３３１２−２に基づいて自装置の設定を行う。
【００５５】
設定が完了すると、ＮＥ１２−２、ＮＥ１２−６は、ＮＥ設定完了応答メッセージＭ２０５−１、Ｍ２０５−３を論理回線１４上で自ＮＥの上流に位置するＮＥ１２−１、ＮＥ１２−５にそれぞれ送信する。
【００５６】
ここで、ＮＥ１２−４で設定に失敗すると、ＮＥ１２−４は、ＮＥ設定完了応答メッセージＭ２０５−２ではなく、ＮＥ設定失敗応答メッセージＭ２０５−４を上流のＮＥであるＮＥ１２−３に送信する。ＮＥ設定失敗応答メッセージＭ２０５−４は、図７に示す構成においてメッセージ識別子３１が「ＮＥ設定失敗応答」を意味する値をとる。以下、ＮＥ設定失敗応答メッセージは同様の構成をとる。なお、ＮＥ設定完了応答とＮＥ設定失敗応答とを併せて「ＮＥ設定応答」と呼称する。
【００５７】
ＮＥ設定完了応答メッセージＭ２０５−１を受信したＮＥ１２−１は、先に受信した論理回線確立要求メッセージＭ２０１−１の設定情報３３１２−１に基づいて自装置の設定を行う。ＮＥ設定完了応答メッセージＭ２０５−３を受信したＮＥ１２−５は、先に受信した論理回線確立要求メッセージＭ２０１−３の設定情報３３１２−１に基づいて自装置の設定が行われていることを確認する。
【００５８】
シグナリング区間において設定が正常に完了したシグナリング起点ＮＥであるＮＥ１２−１、ＮＥ１２−５は、自装置の設定を確認すると、管理装置１１に対して、論理回線確立成功応答メッセージＭ２０６−１、Ｍ２０６−３を送信する。
【００５９】
ここで、設定に失敗したＮＥ１２−４からＮＥ設定失敗応答メッセージＭ２０５−４を受信したシグナリング起点ＮＥであるＮＥ１２−３は、管理装置１１に対して、論理回線確立成功応答メッセージＭ２０６−２ではなく、論理回線確立失敗応答メッセージＭ２０６−４を送信する。論理回線確立失敗応答メッセージＭ２０６−４は図７に示す構成においてメッセージ識別子３１が「論理回線確立失敗応答」を意味する値をとる。以下、論理回線確立失敗応答メッセージは同様の構成をとる。なお、論理回線確立成功応答と論理回線確立失敗応答とを併せて「論理回線確立応答」と呼称する。
【００６０】
管理装置１１は、１つ以上のシグナリング起点ＮＥから論理回線確立失敗応答を受信すると、論理回線１４の経路上において途中まで設定した各ＮＥの設定を設定前の状態に戻すよう、全シグナリング起点ＮＥに要求を送信する。これにより、ネットワークリソースの効率的な利用が可能になる。
【００６１】
設定を戻すため、管理装置１１は、各シグナリング起点ＮＥであるＮＥ１２−１、ＮＥ１２−３、ＮＥ１２−５に対して、論理回線削除要求メッセージＭ２０７−１、Ｍ２０７−２、Ｍ２０７−３をそれぞれ送信する。論理回線削除要求メッセージＭ２０７−１、Ｍ２０７−２、Ｍ２０７−３は、図７に示す構成においてメッセージ識別子３１が「論理回線削除要求」を意味する値をとる。以下、論理回線削除要求メッセージは同様の構成をとる。
【００６２】
論理回線削除要求メッセージＭ２０７−１、Ｍ２０７−２、Ｍ２０７−３をそれぞれ受信したＮＥ１２−１、ＮＥ１２−３、ＮＥ１２−５は、ほぼ同時に論理回線１４上で自ＮＥの下流に位置するＮＥ１２−２、ＮＥ１２−４、ＮＥ１２−６にそれぞれＮＥ設定解除要求メッセージＭ２０８−１、Ｍ２０８−２、Ｍ２０８−３を送信する。ＮＥ設定解除要求メッセージＭ２０８−１、Ｍ２０８−２、Ｍ２０８−３は、図７に示す構成においてメッセージ識別子３１が「ＮＥ設定解除要求」を意味する値をとる。以下、ＮＥ設定解除要求メッセージは同様の構成をとる。
【００６３】
ＮＥ設定解除要求メッセージＭ２０８−１、Ｍ２０８−２、Ｍ２０８−３をそれぞれ受信したＮＥ１２−２、ＮＥ１２−４、ＮＥ１２−６は、ほぼ同時に論理回線１４上で自ＮＥの下流に位置するＮＥ１２−３、ＮＥ１２−５、ＮＥ１２−７にそれぞれＮＥ設定解除要求メッセージＭ２０９−１、Ｍ２０９−２、Ｍ２０９−３を送信する。
【００６４】
各ＮＥにおける設定を解除する場合は、設定の場合と同様、各シグナリング区間において下流側のＮＥから設定が変更されていく。
【００６５】
ＮＥ１２−３、ＮＥ１２−５、ＮＥ１２−７は、それぞれ受信したＮＥ設定解除要求メッセージＭ２０９−１、Ｍ２０９−２、Ｍ２０９−３に基づいて論理回線１４を確立するための自装置の設定の解除を行う。なお、以降の説明においては、各ＮＥが論理回線１４を確立するための設定の解除を行う動作を、「設定の解除を行う」として表す。
【００６６】
設定の解除を行うと、ＮＥ１２−３、ＮＥ１２−５、ＮＥ１２−７は、ＮＥ設定解除成功応答メッセージＭ２１０−１、Ｍ２１０−２、Ｍ２１０−３を論理回線１４上で自ＮＥの上流に位置するＮＥ１２−２、ＮＥ１２−４、ＮＥ１２−６にそれぞれ送信する。ＮＥ設定解除成功応答メッセージＭ２１０−１、Ｍ２１０−２、Ｍ２１０−３は、図７に示す構成においてメッセージ識別子３１が「ＮＥ設定解除成功応答」を意味する値をとる。以下、ＮＥ設定解除成功応答メッセージは同様の構成をとる。
【００６７】
ＮＥ設定解除成功応答メッセージＭ２１０−１、Ｍ２１０−２、Ｍ２１０−３をそれぞれ受信したＮＥ１２−２、ＮＥ１２−４、ＮＥ１２−６は、先に受信したＮＥ設定解除要求メッセージＭ２０８−１、Ｍ２０８−２、Ｍ２０８−３に基づいて自装置の設定の解除を行う。
【００６８】
設定の解除を行うと、ＮＥ１２−２、ＮＥ１２−４、ＮＥ１２−６は、ＮＥ設定解除成功応答メッセージＭ２１１−１、Ｍ２１１−２、Ｍ２１１−３を論理回線１４上で自ＮＥの上流に位置するＮＥ１２−１、ＮＥ１２−３、ＮＥ１２−５にそれぞれ送信する。
【００６９】
ＮＥ設定解除成功応答メッセージＭ２１１−１を受信したＮＥ１２−１は、先に受信した論理回線削除要求メッセージＭ２０７−１に基づいて自装置の設定の解除を行う。ＮＥ設定解除成功応答メッセージＭ２１１−２、Ｍ２１１−３をそれぞれ受信したＮＥ１２−３、ＮＥ１２−５は先に受信したＮＥ設定解除要求メッセージＭ２０９−１、Ｍ２０９−２に基づいて自装置の設定の解除が行われていることを確認する。
【００７０】
なお、ＮＥ１２−３、ＮＥ１２−５は、前述のように、受信したＮＥ設定解除要求メッセージＭ２０９−１、Ｍ２０９−２に基づいてそれぞれ自装置の設定の解除を行っているが、ＮＥ設定解除要求メッセージＭ２０９−１とＮＥ設定解除成功応答メッセージＭ２１１−２、およびＮＥ設定解除要求メッセージＭ２０９−２とＮＥ設定解除成功応答メッセージＭ２１１−３において、それぞれ自装置に関する情報は同一である。そのため、ＮＥ１２−３、ＮＥ１２−５は、ここでは確認のみを行う。以降の説明においても同様である。
【００７１】
なお、設定解除を失敗したＮＥは、ＮＥ設定解除失敗応答メッセージを送信する。ＮＥ設定解除失敗応答メッセージは、図７に示す構成においてメッセージ識別子３１「ＮＥ設定解除失敗応答」を意味する値をとる。以下、ＮＥ設定解除失敗応答メッセージは同様の構成をとる。ＮＥ設定解除成功応答とＮＥ設定解除失敗応答とを併せて「ＮＥ設定解除応答」と呼称する。
【００７２】
下流のＮＥからＮＥ設定解除の結果に関するメッセージを受信したシグナリング起点ＮＥであるＮＥ１２−１、ＮＥ１２−３、ＮＥ１２−５は、受信したメッセージがＮＥ設定解除成功応答メッセージの場合は、管理装置１１に対して、それぞれ論理回線削除成功応答メッセージＭ２１２−１、Ｍ２１２−２、Ｍ２１２−３を送信する。論理回線削除成功応答メッセージＭ２１２−１、Ｍ２１２−２、Ｍ２１２−３は、図７に示す構成においてメッセージ識別子３１が「論理回線削除成功応答」を意味する値をとる。以下、論理回線削除成功応答メッセージは同様の構成をとる。
【００７３】
なお、ＮＥ設定解除失敗応答メッセージを受信した起点ＮＥは、管理装置１１に対して、論理回線削除失敗応答メッセージを送信する。論理回線削除失敗応答メッセージは、図７に示す構成においてメッセージ識別子３１「論理回線削除失敗応答」を意味する値をとる。以下、論理回線削除成功応答と論理回線削除失敗応答とを併せて「論理回線削除応答」と呼称する。
【００７４】
つぎに、論理回線を確立する動作において、あるシグナリング区間で一定時間内に装置の設定が完了しなかった場合の動作概要を説明する。図９は、本実施の形態の通信システムにおいて、あるシグナリング区間で一定時間内に装置の設定が完了しなかった場合の動作概要を示すシーケンス図である。
【００７５】
図９では、あるシグナリング区間において一定時間内に設定ができなかった場合の動作概要として、論理回線１４を確立する際にシグナリング区間１４−２のＮＥ１２−４とＮＥ１２−５間においてＮＥ設定要求メッセージが到達失敗した場合を例に説明する。
【００７６】
管理装置１１は、シグナリング起点ＮＥであるＮＥ１２−１、ＮＥ１２−３、ＮＥ１２−５に対して、論理回線確立要求メッセージＭ２０１−１、Ｍ２０１−２、Ｍ２０１−３を送信する。
【００７７】
論理回線確立要求メッセージＭ２０１−１、Ｍ２０１−２、Ｍ２０１−３をそれぞれ受信したＮＥ１２−１、ＮＥ１２−３、ＮＥ１２−５は、ほぼ同時に論理回線１４上で自ＮＥの下流に位置するＮＥ１２−２、ＮＥ１２−４、ＮＥ１２−６にそれぞれＮＥ設定要求メッセージＭ２０２−１、Ｍ２０２−２、Ｍ２０２−３を送信する。このとき、各シグナリング起点ＮＥであるＮＥ１２−１、ＮＥ１２−３、ＮＥ１２−５は、自ＮＥの論理回線制御部４２の制御タイマ４２３を起動し、一定時間内にシグナリング区間内のすべてのＮＥの設定が完了するか否かを監視する。
【００７８】
ＮＥ設定要求メッセージＭ２０２−１、Ｍ２０２−２、Ｍ２０２−３をそれぞれ受信したＮＥ１２−２、ＮＥ１２−４、ＮＥ１２−６は、ほぼ同時に論理回線１４上で自ＮＥの下流に位置するＮＥ１２−３、ＮＥ１２−５、ＮＥ１２−７にそれぞれＮＥ設定要求メッセージＭ２０３−１、Ｍ２０３−２、Ｍ２０３−３を送信する。
【００７９】
ここで、ＮＥ１２−４とＮＥ１２−５間に通信路障害等が生じると、ＮＥ設定要求メッセージＭ２０３−２はＮＥ１２−５に到達しない。
【００８０】
ＮＥ設定要求メッセージＭ２０３−１、Ｍ２０３−３をそれぞれ受信したＮＥ１２−３、ＮＥ１２−７は、受信したＮＥ設定要求メッセージＭ２０３−１、Ｍ２０３−３の設定情報３３１２−３に基づいて自装置の設定を行う。
【００８１】
設定が完了すると、ＮＥ１２−３、ＮＥ１２−７は、ＮＥ設定完了応答メッセージＭ２０４−１、Ｍ２０４−３を論理回線１４上で自ＮＥの上流に位置するＮＥ１２−２、ＮＥ１２−６にそれぞれ送信する。
【００８２】
ＮＥ設定完了応答メッセージＭ２０４−１、Ｍ２０４−３をそれぞれ受信したＮＥ１２−２、ＮＥ１２−６は、先に受信したＮＥ設定要求メッセージＭ２０２−１、Ｍ２０２−３の設定情報３３１２−２に基づいて自装置の設定を行う。
【００８３】
設定が完了すると、ＮＥ１２−２、ＮＥ１２−６は、ＮＥ設定完了応答メッセージＭ２０５−１、Ｍ２０５−３を論理回線１４上で自ＮＥの上流に位置するＮＥ１２−１、ＮＥ１２−５にそれぞれ送信する。
【００８４】
ＮＥ設定完了応答メッセージＭ２０５−１を受信したＮＥ１２−１は、先に受信した論理回線確立要求メッセージＭ２０１−１の設定情報３３１２−１に基づいて自装置の設定を行う。ＮＥ設定完了応答メッセージＭ２０５−３を受信したＮＥ１２−５は、先に受信した論理回線確立要求メッセージＭ２０１−３の設定情報３３１２−１に基づいて自装置の設定が行われていることを確認する。
【００８５】
シグナリング区間において設定が正常に完了したシグナリング起点ＮＥであるＮＥ１２−１、ＮＥ１２−５は、自装置の設定を確認すると、管理装置１１に対して、論理回線確立成功応答メッセージＭ２０６−１、Ｍ２０６−３を送信する。
【００８６】
ここで、ＮＥ１２−３は、一定時間内にＮＥ設定完了応答メッセージまたはＮＥ設定失敗応答メッセージを下流のＮＥ１２−４から受信せず、制御タイマ４２３がタイムアウトすると、管理装置１１に対して、論理回線確立失敗応答メッセージＭ２０６−４を送信する。
【００８７】
以降、管理装置１１およびＮＥ１２−１、ＮＥ１２−２、ＮＥ１２−３、ＮＥ１２−４、ＮＥ１２−５、ＮＥ１２−６、ＮＥ１２−７において論理回線１４の設定を削除する動作は図８と同様である。
【００８８】
つぎに、論理回線を確立する動作において、あるシグナリング区間から管理装置１１に対して一定時間内に論理回線の確立結果に関する応答がなかった場合の動作概要を説明する。図１０は、本実施の形態の通信システムにおいて、あるシグナリング区間から管理装置１１に対して一定時間内に論理回線の確立結果に関する応答がなかった場合の動作概要を示すシーケンス図である。
【００８９】
図１０では、あるシグナリング起点ＮＥから管理装置１１に対して論理回線確立成功応答または論理回線確立失敗応答のいずれの応答も無い場合の動作概要として、論理回線１４を確立する際に管理装置１１とシグナリング起点ＮＥであるＮＥ１２−３間の通信に障害が生じた場合を例に説明する。
【００９０】
管理装置１１は、シグナリング起点ＮＥであるＮＥ１２−１、ＮＥ１２−３、ＮＥ１２−５に対して、論理回線確立要求メッセージＭ２０１−１、Ｍ２０１−２、Ｍ２０１−３を送信する。このとき、管理装置１１は、論理回線制御部５１の制御タイマ５１３を起動し、一定時間内にすべてのシグナリング区間においてＮＥの設定が完了するか否かを監視する。
【００９１】
ここで、管理装置１１とＮＥ１２−３間に通信路障害等が生じると、論理回線確立要求メッセージＭ２０１−２はＮＥ１２−３に到達しない。
【００９２】
論理回線確立要求メッセージＭ２０１−１、Ｍ２０１−３をそれぞれ受信したＮＥ１２−１、ＮＥ１２−５は、ほぼ同時に論理回線１４上で自ＮＥの下流に位置するＮＥ１２−２、ＮＥ１２−６にそれぞれＮＥ設定要求メッセージＭ２０２−１、Ｍ２０２−３を送信する。
【００９３】
ＮＥ設定要求メッセージＭ２０２−１、Ｍ２０２−３をそれぞれ受信したＮＥ１２−２、ＮＥ１２−６は、ほぼ同時に論理回線１４上で自ＮＥの下流に位置するＮＥ１２−３、ＮＥ１２−７にそれぞれＮＥ設定要求メッセージＭ２０３−１、Ｍ２０３−３を送信する。
【００９４】
ＮＥ設定要求メッセージＭ２０３−１、Ｍ２０３−３をそれぞれ受信したＮＥ１２−３、ＮＥ１２−７は、受信したＮＥ設定要求メッセージＭ２０３−１、Ｍ２０３−３の設定情報３３１２−３に基づいて自装置の設定を行う。
【００９５】
設定が完了すると、ＮＥ１２−３、ＮＥ１２−７は、ＮＥ設定完了応答メッセージＭ２０４−１、Ｍ２０４−３を論理回線１４上で自ＮＥの上流に位置するＮＥ１２−２、ＮＥ１２−６にそれぞれ送信する。
【００９６】
ＮＥ設定完了応答メッセージＭ２０４−１、Ｍ２０４−３をそれぞれ受信したＮＥ１２−２、ＮＥ１２−６は、先に受信したＮＥ設定要求メッセージＭ２０２−１、Ｍ２０２−３の設定情報３３１２−２に基づいて自装置の設定を行う。
【００９７】
設定が完了すると、ＮＥ１２−２、ＮＥ１２−６は、ＮＥ設定完了応答メッセージＭ２０５−１、Ｍ２０５−３を論理回線１４上で自ＮＥの上流に位置するＮＥ１２−１、ＮＥ１２−５にそれぞれ送信する。
【００９８】
ＮＥ設定完了応答メッセージＭ２０５−１を受信したＮＥ１２−１は、先に受信した論理回線確立要求メッセージＭ２０１−１の設定情報３３１２−１に基づいて自装置の設定を行う。ＮＥ設定完了応答メッセージＭ２０５−３を受信したＮＥ１２−５は、先に受信した論理回線確立要求メッセージＭ２０１−３の設定情報３３１２−１に基づいて自装置の設定が行われていることを確認する。
【００９９】
シグナリング区間において設定が正常に完了したシグナリング起点ＮＥであるＮＥ１２−１、ＮＥ１２−５は、自装置の設定を確認すると、管理装置１１に対して、論理回線確立成功応答メッセージＭ２０６−１、Ｍ２０６−３を送信する。
【０１００】
ここで、管理装置１１は、一定時間内に１個以上のシグナリング起点ＮＥから論理回線確立成功応答メッセージまたは論理回線確立失敗応答メッセージを受信せず、制御タイマ５１３がタイムアウトすると、論理回線１４の確立に失敗したと判定する。
【０１０１】
以降、管理装置１１およびＮＥ１２−１、ＮＥ１２−２、ＮＥ１２−３、ＮＥ１２−４、ＮＥ１２−５、ＮＥ１２−６、ＮＥ１２−７において論理回線１４の設定を削除する動作は図８と同様である。
【０１０２】
つづいて、以上で説明した論理回線１４を確立する動作において、管理装置１１にかかる動作の詳細をフローチャートに基づいて説明する。図１１，１２は、本実施の形態において論理回線１４を確立する際の管理装置１１の動作を示すフローチャートである。
【０１０３】
まず、管理装置１１では、論理回線１４の確立要求を受けると、論理回線制御部５１の制御処理部５１１は、確立しようとする論理回線１４の識別子を設定し、経路決定部５１４は、確立しようとする論理回線１４の経路を決定する（ステップＳ８０１）。ここでは、一例として、論理回線識別子をＩＤ−１４とする。
【０１０４】
制御判定部５１２は、論理回線１４の経路が決定すると、確立しようとする論理回線１４上において、ｔ個（ｔは１以上の整数）のシグナリング区間と、それぞれのシグナリング区間におけるシグナリング起点ＮＥを決定する（ステップＳ８０２）。ここでは、シグナリング区間はシグナリング区間１４−１、１４−２、１４−３の３個であり、シグナリング起点ＮＥはそれぞれＮＥ１２−１、ＮＥ１２−３、ＮＥ１２−５である。
【０１０５】
制御処理部５１１は、制御結果記憶部５１５の「シグナリング起点ＮＥ数記憶テーブル６」に、確立しようとする論理回線１４のエントリを追加する（ステップＳ８０３）。本テーブルは、確立制御を実施中であるすべての論理回線についてそれぞれのシグナリング起点ＮＥ数を記憶するために保持されており、ステップＳ８０２で決定したシグナリング起点ＮＥの数ｔ個が当該論理回線のエントリのシグナリング起点ＮＥ数記憶領域６２に記載される。ここでは、エントリの内容は下記のとおりである。
【０１０６】
論理回線識別子領域６１：ＩＤ−１４
シグナリング起点ＮＥ数記憶領域６２：３
【０１０７】
また、制御処理部５１１は、制御結果記憶部５１５に、論理回線１４に関する「シグナリング起点ＮＥ応答結果記憶テーブル７Ａ」を生成する（ステップＳ８０３）。シグナリング起点ＮＥ応答結果記憶テーブル７Ａは、確立制御を実施中の各論理回線について、シグナリング起点ＮＥとそれぞれのシグナリング起点ＮＥからの論理回線確立応答有無を記憶するために保持されている。例えば、論理回線１４については、初期の記載内容は下記のとおりである。
【０１０８】
｛シグナリング起点ＮＥ識別子領域７１，応答の有無記憶領域７２｝
＝｛ＮＥ１２−１，無｝，｛ＮＥ１２−３，無｝，｛ＮＥ１２−５，無｝
【０１０９】
これにより、管理装置１１では、シグナリング起点ＮＥ数記憶テーブル６およびシグナリング起点ＮＥ応答結果記憶テーブル７Ａに基づいて、ある論理回線（ここでは論理回線１４）について、すべてのシグナリング区間において論理回線確立設定が正常に完了したか否かを管理することが可能となる。
【０１１０】
制御処理部５１１は、各シグナリング起点ＮＥに送信するｔ個の論理回線確立要求メッセージのメッセージペイロード３を生成し、送信先ＮＥの情報とともにメッセージ処理部５２３に渡す（ステップＳ８０４）。このとき、メッセージ識別子３１は「論理回線確立要求」であり、論理回線識別子３２は「ＩＤ−１４」である。送信先ＮＥは、シグナリング起点ＮＥであるＮＥ１２−１、ＮＥ１２−３、ＮＥ１２−５である。また、経路情報３３は、各シグナリング区間上のＮＥを一意に区別するためのＮＥ識別子（３３１１−ｉ）と各ＮＥにおける装置の設定情報（３３１２−ｉ）の組合せからなり、宛先となるシグナリング起点ＮＥによって異なる。例えば、シグナリング起点ＮＥ１２−３に送信するメッセージの経路情報３３は次のような情報を持つ。
【０１１１】
ＮＥ識別子３３１１−１：ＮＥ１２−３
設定情報３３１２−１：リンク１３−２−３からの回線はリンク１３−３−４へ切替
【０１１２】
ＮＥ識別子３３１１−２：ＮＥ１２−４
設定情報３３１２−２：リンク１３−３−４からの回線はリンク１３−４−５へ切替
【０１１３】
ＮＥ識別子３３１１−３：ＮＥ１２−５
設定情報３３１２−３：リンク１３−４−５からの回線はリンク１３−５−６へ切替
【０１１４】
メッセージ処理部５２３は、ステップＳ８０４で制御処理部５１１より受け取った情報を元に、ｔ個のシグナリング起点ＮＥ宛のメッセージを生成する（ステップＳ８０５）。ここでは、送信先ＮＥをそれぞれシグナリング起点ＮＥであるＮＥ１２−１、ＮＥ１２−３、ＮＥ１２−５とし、メッセージ処理部５２３は、合計３個の論理回線確立要求メッセージを生成する。
【０１１５】
メッセージ送信部５２２は、通信ポート５３からｔ個（ここでは３個）のシグナリング起点ＮＥ（ＮＥ１２−１、ＮＥ１２−３、ＮＥ１２−５）宛に、ステップＳ８０５で生成されたメッセージ（論理回線確立要求メッセージ）を送信する（ステップＳ８０６）。
【０１１６】
このとき、制御処理部５１１は、制御タイマ５１３を起動する（ステップＳ８０７）。
【０１１７】
制御タイマ５１３が起動されると、制御処理部５１１は、制御タイマ５１３がタイムアウトしたか否かを確認する（ステップＳ８０８）。
【０１１８】
制御処理部５１１の確認の結果、制御タイマ５１３がタイムアウトしていない場合（ステップＳ８０８：Ｎｏ）、メッセージ受信部５２１は、ｓ番目（ｓは１以上ｔ以下の整数）のシグナリング起点ＮＥから論理回線確立応答メッセージを受信したか否かを確認する（ステップＳ８０９）。
【０１１９】
メッセージ受信部５２１の確認の結果、論理回線確立応答メッセージを受信した場合（ステップＳ８０９：Ｙｅｓ）、制御処理部５１１は、受信した論理回線確立応答メッセージが論理回線確立成功応答か否かを確認する（ステップＳ８１０）。
【０１２０】
制御処理部５１１は、確認の結果、受信した論理回線確立応答メッセージが論理回線確立成功応答の場合（ステップＳ８１０：Ｙｅｓ）、論理回線１４に関するシグナリング起点ＮＥ応答結果記憶テーブル７Ａに、メッセージ送信元のｓ番目のシグナリング起点ＮＥからのシグナリング応答が「有」として記載する（ステップＳ８１１）。
【０１２１】
制御判定部５１２は、シグナリング起点ＮＥ応答結果記憶テーブル７Ａを確認し、ｔ個すべてのシグナリング起点ＮＥからの論理回線確立応答（ここでは論理回線確立成功応答を示す）が「有」か否かを確認する（ステップＳ８１２）。
【０１２２】
制御判定部５１２は、確認の結果、ｔ個すべてのシグナリング起点ＮＥからの論理回線確立応答が「有」の場合（ステップＳ８１２：Ｙｅｓ）、論理回線１４の確立が成功したと判定し、確立完了となる（ステップＳ８１３）。
【０１２３】
なお、ステップＳ８０９において、メッセージ受信部５２１の確認の結果、ｓ番目のシグナリング起点ＮＥからの論理回線確立応答メッセージを受信していない場合（ステップＳ８０９：Ｎｏ）、および、ステップＳ８１２において、制御判定部５１２の確認の結果、ｔ個すべてのシグナリング起点ＮＥからの論理回線確立成功応答が「有」ではない場合（ステップＳ８１２：Ｎｏ）、ステップＳ８０８へ移行し、制御処理部５１１は、制御タイマ５１３がタイムアウトしたか否かを確認する（ステップＳ８０８）。
【０１２４】
また、ステップＳ８０８において、制御処理部５１１の確認の結果、制御タイマ５１３がタイムアウトしている場合（ステップＳ８０８：Ｙｅｓ）、および、ステップＳ８１０において、制御処理部５１１の確認の結果、受信した論理回線確立応答メッセージが論理回線確立成功応答でない場合（ステップＳ８１０：Ｎｏ）、すなわち、１つでも論理回線確立に失敗したシグナリング区間がある場合、制御判定部５１２は、直ちに論理回線１４の確立が失敗と判定する（ステップＳ８１４）。
【０１２５】
論理回線１４の確立に失敗した場合（ステップＳ８１４）、通信システムでは、ネットワークリソースの効率利用など必要に応じて、設定済みの一部のＮＥに対して設定を解除する。
【０１２６】
管理装置１１では、論理回線１４の確立に失敗すると（ステップＳ８１４）、制御処理部５１１は、ステップＳ８０３で生成した制御結果記憶部５１５の論理回線１４に関する「シグナリング起点ＮＥ応答結果記憶テーブル７Ａ」の応答の有無記憶領域７２を全て「無」にする（ステップＳ８１５）。
【０１２７】
制御処理部５１１は、各シグナリング起点ＮＥに送信するｔ個の論理回線削除要求メッセージのメッセージペイロード３を生成し、送信先ＮＥの情報とともにメッセージ処理部５２３に渡す（ステップＳ８１６）。このとき、メッセージ識別子３１は「論理回線削除要求」であり、論理回線識別子３２はＩＤ−１４である。また、送信先ＮＥは、シグナリング起点ＮＥであるＮＥ１２−１、ＮＥ１２−３、ＮＥ１２−５である。
【０１２８】
メッセージ処理部５２３は、ステップＳ８１６で制御処理部５１１より受け取った情報を元に、ｔ個のシグナリング起点ＮＥ宛のメッセージを生成する（ステップＳ８１７）。ここでは、送信先ＮＥをそれぞれシグナリング起点ＮＥであるＮＥ１２−１、ＮＥ１２−３、ＮＥ１２−５とし、メッセージ処理部５２３は、合計３個の論理回線削除要求メッセージを生成する。
【０１２９】
メッセージ送信部５２２は、通信ポート５３からｔ個（ここでは３個）のシグナリング起点ＮＥ（ＮＥ１２−１、ＮＥ１２−３、ＮＥ１２−５）宛に、ステップＳ８１７で生成されたメッセージ（論理回線削除要求メッセージ）を送信する（ステップＳ８１８）。
【０１３０】
このとき、制御処理部５１１は、制御タイマ５１３を起動する（ステップＳ８１９）。
【０１３１】
制御タイマ５１３が起動されると、制御処理部５１１は、制御タイマ５１３がタイムアウトしたか否かを確認する（ステップＳ８２０）。
【０１３２】
制御処理部５１１の確認の結果、制御タイマ５１３がタイムアウトしていない場合（ステップＳ８２０：Ｎｏ）、メッセージ受信部５２１は、ｓ番目のシグナリング起点ＮＥから論理回線削除応答メッセージを受信したか否かを確認する（ステップＳ８２１）。
【０１３３】
メッセージ受信部５２１の確認の結果、論理回線削除応答メッセージを受信した場合（ステップＳ８２１：Ｙｅｓ）、制御処理部５１１は、受信した論理回線削除応答メッセージが論理回線削除成功応答か否かを確認する（ステップＳ８２２）。
【０１３４】
制御処理部５１１は、確認の結果、受信した論理回線削除応答メッセージが論理回線削除成功応答の場合（ステップＳ８２２：Ｙｅｓ）、論理回線１４に関するシグナリング起点ＮＥ応答結果記憶テーブル７Ａに、メッセージ送信元のｓ番目のシグナリング起点ＮＥからのシグナリング応答が「有」として記載する（ステップＳ８２３）。
【０１３５】
制御判定部５１２は、シグナリング起点ＮＥ応答結果記憶テーブル７Ａを確認し、ｔ個すべてのシグナリング起点ＮＥからの論理回線削除応答（ここでは論理回線削除成功応答を示す）が「有」か否かを確認する（ステップＳ８２４）。
【０１３６】
制御判定部５１２は、確認の結果、ｔ個すべてのシグナリング起点ＮＥからの論理回線削除応答が「有」の場合（ステップＳ８２４：Ｙｅｓ）、論理回線１４の削除が成功したと判定し、削除完了となる（ステップＳ８２５）。
【０１３７】
なお、ステップＳ８２１において、メッセージ受信部５２１の確認の結果、ｓ番目のシグナリング起点ＮＥからの論理回線削除応答メッセージを受信していない場合（ステップＳ８２１：Ｎｏ）、および、制御判定部５１２の確認の結果、ステップＳ８２４において、ｔ個すべてのシグナリング起点ＮＥからの論理回線削除応答が「有」ではない場合（ステップＳ８２４：Ｎｏ）、ステップＳ８２０へ移行し、制御処理部５１１は、制御タイマ５１３がタイムアウトしたか否かを確認する（ステップＳ８２０）。
【０１３８】
また、ステップＳ８２０において、制御処理部５１１の確認の結果、制御タイマ５１３がタイムアウトしている場合（ステップＳ８２０：Ｙｅｓ）、および、ステップＳ８２２において、制御処理部５１１の確認の結果、受信した論理回線削除応答メッセージが論理回線削除成功応答でない場合（ステップＳ８２２：Ｎｏ）、すなわち、１つでも論理回線削除に失敗したシグナリング区間がある場合、制御判定部５１２は、直ちに論理回線１４の削除が失敗と判定する（ステップＳ８２６）。
【０１３９】
つづいて、論理回線１４を確立する動作において、ＮＥにかかる動作の詳細をフローチャートに基づいて説明する。図１３は、本実施の形態においてＮＥが管理装置１１より論理回線確立要求メッセージを受信した場合に、下流のＮＥにＮＥ設定を要求するシグナリング起点ＮＥの動作を示すフローチャートである。ここでは、シグナリング起点ＮＥとして、ＮＥ１２−３を例に説明する。
【０１４０】
ＮＥ（ＮＥ１２−３）は起動すると、メッセージ受信部４３１が、論理回線確立要求メッセージを受信したか否かを確認する（ステップＳ９０１）。メッセージ受信部４３１は、論理回線確立要求メッセージを受信していない場合（ステップＳ９０１：Ｎｏ）、論理回線確立要求メッセージ受信の確認を継続し、論理回線確立要求メッセージを受信した場合（ステップＳ９０１：Ｙｅｓ）、制御処理部４２１は、ステップＳ９０１で受信した論理回線確立要求メッセージに記載してある自ＮＥに関する設定情報３３１２−１を制御内容記憶部４２４に記憶する（ステップＳ９０２）。
【０１４１】
制御処理部４２１は、ステップＳ９０１で受信した論理回線確立要求メッセージの経路情報３３から自ＮＥの次の宛先ＮＥを判定する（ステップＳ９０３）。ここでは、２番目のＮＥのＮＥ識別子３３１１−２にＮＥ１２−４を意味する値が記載されているので、制御処理部４２１は、次の宛先ＮＥはＮＥ１２−４と判定し、次の宛先ＮＥがＮＥ１２−４であることをメッセージ処理部４３３に伝達する。
【０１４２】
また、制御処理部４２１は、受信した論理回線確立要求メッセージを元に、ＮＥ設定要求メッセージのメッセージペイロード３を生成してメッセージ処理部４３３に渡す（ステップＳ９０３）。
【０１４３】
メッセージ処理部４３３は、ステップＳ９０３で制御処理部４２１より受け取った情報を元に、ＮＥ設定要求メッセージを生成する（ステップＳ９０４）。ここでは、論理回線識別子３２が論理回線１４を意味する値、経路情報３３はステップＳ９０１で受信した論理回線確立要求メッセージの経路情報３３と同じものである。メッセージ処理部４３３は、生成したＮＥ設定要求メッセージをメッセージ送信部４３２に渡す。
【０１４４】
メッセージ送信部４３２は、ステップＳ９０４で生成されたＮＥ設定要求メッセージを、次のＮＥであるＮＥ１２−４に接続されている通信ポート４４−ｄ（１≦ｄ≦ｋ）から送信する（ステップＳ９０５）。
【０１４５】
このとき、制御処理部４２１は、制御タイマ４２３を起動する（ステップＳ９０６）。
【０１４６】
制御タイマ４２３が起動されると、制御処理部４２１は、制御タイマ４２３がタイムアウトしたか否かを確認する（ステップＳ９０７）。
【０１４７】
制御処理部４２１の確認の結果、制御タイマ４２３がタイムアウトしていない場合（ステップＳ９０７：Ｎｏ）、メッセージ受信部４３１は、下流のＮＥからＮＥ設定応答メッセージを受信したか否かを確認する（ステップＳ９０８）。
【０１４８】
メッセージ受信部４３１の確認の結果、下流のＮＥからＮＥ設定応答メッセージを受信していない場合（ステップＳ９０８：Ｎｏ）、ステップＳ９０７に戻り、制御処理部４２１は、制御タイマ４２３がタイムアウトしたか否かを確認する（ステップＳ９０７）。
【０１４９】
メッセージ受信部４３１の確認の結果、下流のＮＥからＮＥ設定応答メッセージを受信した場合（ステップＳ９０８：Ｙｅｓ）、制御処理部４２１は、受信したＮＥ設定応答メッセージがＮＥ設定完了応答か否かを確認する（ステップＳ９０９）。
【０１５０】
制御処理部４２１の確認の結果、受信したメッセージがＮＥ設定完了応答の場合（ステップＳ９０９：Ｙｅｓ）、装置制御部４１は、ステップＳ９０２で記憶した設定情報３３１２−１に基づいて自ＮＥの装置を設定済みか否かを判定する（ステップＳ９１０）。
【０１５１】
装置制御部４１の確認の結果、設定済みでない場合(ステップＳ９１０：Ｎｏ)、装置制御部４１は、ステップＳ９０２で制御内容記憶部４２４に記憶した設定情報３３１２−１に基づいて自ＮＥの装置を設定する（ステップＳ９１１）。なお、装置制御部４１の確認の結果、設定済みの場合(ステップＳ９１０：Ｙｅｓ)、装置制御部４１は、ステップＳ９１１の処理を省略する。
【０１５２】
装置制御部４１は、自ＮＥの装置の設定が成功したか否かを確認する（ステップＳ９１２）。装置制御部４１の確認の結果、成功の場合（ステップＳ９１２：Ｙｅｓ）、制御判定部４２２は、「論理回線確立成功」と判定する（ステップＳ９１３）。
【０１５３】
なお、制御処理部４２１の確認の結果、制御タイマ４２３がタイムアウトしている場合（ステップＳ９０７：Ｙｅｓ）、制御処理部４２１の確認の結果、受信したメッセージがＮＥ設定完了応答でない場合（ステップＳ９０９：Ｎｏ）、および、装置制御部４１の確認の結果、自ＮＥの装置の設定が失敗の場合（ステップＳ９１２：Ｎｏ）、制御判定部４２２は、直ちに「論理回線確立失敗」と判定する（ステップＳ９１４）。
【０１５４】
制御処理部４２１は、制御判定部４２２の判定結果に基づき、論理回線確立応答メッセージのメッセージペイロード３を生成する（ステップＳ９１５）。制御判定部４２２の判定結果が成功の場合（ステップＳ９１３）はメッセージ識別子３１が論理回線確立成功応答を意味する値をとり、制御判定部４２２の判定結果が失敗の場合（ステップＳ９１４）はメッセージ識別子３１が論理回線確立失敗応答を意味する値をとる。制御処理部４２１は、生成したメッセージペイロード３をメッセージ処理部４３３に渡す。
【０１５５】
メッセージ処理部４３３は、管理装置１１宛の論理回線確立応答メッセージを生成する（ステップＳ９１６）。メッセージ処理部４３３は、生成した論理回線確立応答メッセージをメッセージ送信部４３２に渡す。
【０１５６】
メッセージ送信部４３２は、ステップＳ９１６で生成された論理回線確立応答メッセージを、管理装置１１に接続されている通信ポート４４−ｄ（１≦ｄ≦ｋ）から送信する（ステップＳ９１７）。
【０１５７】
なお、シグナリング起点ＮＥが論理回線削除要求メッセージを受信した場合の動作については、「論理回線確立要求」が「論理回線削除要求」に、「ＮＥ設定要求」が「ＮＥ設定解除要求」に、「ＮＥ設定応答」が「ＮＥ設定解除応答」に、「論理回線確立応答」が「論理回線削除応答」に変わるが、その他の動作は同様である。
【０１５８】
つぎに、論理回線１４を確立する動作において、シグナリング起点ＮＥ以外の論理回線上のＮＥが、ＮＥ設定要求メッセージを受信したときの動作を説明する。図１４は、本実施の形態においてＮＥがＮＥ設定要求メッセージを受信した場合の動作を示すフローチャートである。ＮＥ設定要求メッセージを受信した場合の動作として、シグナリング区間の中継ＮＥであるＮＥ１２−４を例に説明する。
【０１５９】
ＮＥ（ＮＥ１２−４）は起動すると、メッセージ受信部４３１が、ＮＥ設定要求メッセージを受信したか否かを確認する（ステップＳ１００１）。メッセージ受信部４３１は、ＮＥ設定要求メッセージを受信していない場合（ステップＳ１００１：Ｎｏ）、ＮＥ設定要求メッセージ受信の確認を継続し、ＮＥ設定要求メッセージを受信した場合（ステップＳ１００１：Ｙｅｓ）、制御処理部４２１は、ステップＳ１００１で受信したＮＥ設定要求メッセージに記載してある自ＮＥに関する設定情報３３１２−ｉを制御内容記憶部４２４に記憶する（ステップＳ１００２）。ここで、ｉは自ＮＥが属するシグナリング区間において上流側から数えて何番目にあるかを示す値である。
【０１６０】
制御処理部４２１は、ステップＳ１００１で受信したＮＥ設定要求メッセージの経路情報３３から自ＮＥが属するシグナリング区間において終点か否かを判定する（ステップＳ１００３）。制御処理部４２１は、自ＮＥのＮＥ設定情報３３１−ｉの後ろに他のＮＥのＮＥ設定情報が記載されている場合は終点ではなく、記載されていない場合は終点と判断できる。制御処理部４２１は、自ＮＥ（ＮＥ１２−４）の情報の次にＮＥ１２−５の情報が記載されているため、終点でないと判定する（ステップＳ１００３：Ｎｏ）。
【０１６１】
制御処理部４２１は、ステップＳ１００１で受信したＮＥ設定要求メッセージの経路情報３３から次の宛先ＮＥを判定し、メッセージ処理部４３３に伝達する（ステップＳ１００８）。この場合は、ＮＥ１２−５が宛先ＮＥとなる。
【０１６２】
制御処理部４２１は、ＮＥ設定要求メッセージのメッセージペイロード３として、ステップＳ１００１で受信したＮＥ設定要求メッセージのメッセージペイロード３を渡す（ステップＳ１０１０）。
【０１６３】
メッセージ処理部４３３は、ステップＳ１００８およびステップＳ１０１０で受け取った情報を元にＮＥ設定要求メッセージを生成し、メッセージ送信部４３２は、生成されたＮＥ設定要求メッセージを次の宛先ＮＥであるＮＥ１２−５に接続されている通信ポート４４−ｄ（１≦ｄ≦ｋ）から送信する（ステップＳ１０１１）。
【０１６４】
つぎに、ＮＥ設定要求メッセージを受信した場合の動作として、シグナリング区間の終点ＮＥであるＮＥ１２−５を例に説明する。
【０１６５】
ＮＥ（ＮＥ１２−５）は起動すると、メッセージ受信部４３１が、ＮＥ設定要求メッセージを受信したか否かを確認する（Ｓ１００１）。メッセージ受信部４３１は、ＮＥ設定要求メッセージを受信していない場合（ステップＳ１００１：Ｎｏ）、ＮＥ設定要求メッセージ受信の確認を継続し、ＮＥ設定要求メッセージを受信した場合（ステップＳ１００１：Ｙｅｓ）、制御処理部４２１は、ステップＳ１００１で受信したＮＥ設定要求メッセージに記載してある自ＮＥに関するＮＥ設定情報３３１２−ｉを制御内容記憶部４２４に記憶する（ステップＳ１００２）。
【０１６６】
制御処理部４２１は、ステップＳ１００１で受信したＮＥ設定要求メッセージの経路情報３３から自ＮＥが属するシグナリング区間において終点か否かを判定する（ステップＳ１００３）。制御処理部４２１は、自ＮＥ（ＮＥ１２−５）の情報の後ろに次のＮＥに関する設定情報３３１２−ｉが記載されていないため、終点であると判定する（ステップＳ１００３：Ｙｅｓ）。
【０１６７】
装置制御部４１は、ステップＳ１００２で制御内容記憶部４２４に記憶した設定情報３３１２−ｉに基づき自ＮＥの装置を設定する（ステップＳ１００４）。
【０１６８】
装置制御部４１は、自ＮＥの装置の設定が成功したか否かを確認する（Ｓ１００５）。装置制御部４１の確認の結果、設定が成功した場合（ステップＳ１００５：Ｙｅｓ）、制御判定部４２２は、「ＮＥ設定完了」と判定する（ステップＳ１００６）。装置制御部４１の確認の結果、設定が失敗した場合（ステップＳ１００５：Ｎｏ）、制御判定部４２２は、「ＮＥ設定失敗」と判定する（ステップＳ１００７）。
【０１６９】
制御処理部４２１は、ステップＳ１００６またはステップＳ１００７のＮＥ設定結果を元に、ＮＥ設定応答メッセージのメッセージペイロード３を生成し、次の宛先ＮＥを判定する（ステップＳ１００９）。「ＮＥ設定完了」（ステップＳ１００６）の場合、メッセージ識別子３１は「ＮＥ設定完了」となり、「ＮＥ設定失敗」（ステップＳ１００７）の場合、メッセージ識別子３１は「ＮＥ設定失敗」となる。また、このときの宛先ＮＥは、自ＮＥより１つ上流のＮＥとなるので、ＮＥ１２−４を指定する。制御処理部４２１は、生成したＮＥ設定応答メッセージのメッセージペイロード３、および次の宛先ＮＥ（ＮＥ１２−４）の情報をメッセージ処理部４３３に渡す。
【０１７０】
メッセージ処理部４３３は、制御処理部４２１から受け取った情報を元に、次の宛先ＮＥ（ＮＥ１２−４）宛のＮＥ設定応答メッセージを生成し、メッセージ送信部４３２は、生成されたＮＥ設定応答メッセージを次の宛先ＮＥであるＮＥ１２−４に接続されている通信ポート４４−ｄ（１≦ｄ≦ｋ）から送信する（ステップＳ１０１１）。
【０１７１】
なお、ＮＥがＮＥ設定解除要求メッセージを受信した場合の動作については、「ＮＥ設定要求」が「ＮＥ設定解除要求」に、「ＮＥ設定応答」が「ＮＥ設定解除応答」に変わるが、その他の動作は同様である。
【０１７２】
つぎに、論理回線１４を確立する動作において、シグナリング起点ＮＥ以外の論理回線上のＮＥが、ＮＥ設定応答メッセージを受信したときの動作を説明する。図１５は、本実施の形態においてＮＥがＮＥ設定応答メッセージを受信した場合の動作を示すフローチャートである。ＮＥ設定応答メッセージを受信した場合の動作として、シグナリング区間の中継ＮＥであるＮＥ１２−４を例に説明する。
【０１７３】
ＮＥ（ＮＥ１２−４）は起動すると、メッセージ受信部４３１が、ＮＥ設定応答メッセージを受信したか否かを確認する（Ｓ１１０１）。メッセージ受信部４３１は、ＮＥ設定応答メッセージを受信していない場合（ステップＳ１１０１：Ｎｏ）、ＮＥ設定応答メッセージ受信の確認を継続し、ＮＥ設定応答メッセージを受信した場合（ステップＳ１１０１：Ｙｅｓ）、制御処理部４２１は、ステップＳ１１０１で受信したＮＥ設定応答メッセージがＮＥ設定完了応答か否かを判定する（ステップＳ１１０２）。
【０１７４】
制御処理部４２１の確認の結果、「完了」の場合（ステップＳ１１０２：Ｙｅｓ）、装置制御部４１は、ステップＳ１００２（図１４参照）で制御内容記憶部４２４に記憶した設定情報３３１２−ｉに基づき自ＮＥの装置を設定する（ステップＳ１１０３）。
【０１７５】
装置制御部４１は、自ＮＥの装置の設定が成功したか否かを判定する（Ｓ１１０４）。装置制御部４１の確認の結果、設定が成功した場合（ステップＳ１１０４：Ｙｅｓ）、制御判定部４２２は、「ＮＥ設定完了」と判定する（ステップＳ１１０５）。装置制御部４１の確認の結果、設定が失敗した場合（ステップＳ１１０４：Ｎｏ）、制御判定部４２２は、「ＮＥ設定失敗」と判定する（ステップＳ１１０６）。
【０１７６】
なお、ステップＳ１１０１で受信したＮＥ設定応答メッセージが「失敗」の場合（ステップＳ１１０２：Ｎｏ）、制御判定部４２２は、直ちに「ＮＥ設定失敗」と判定し（Ｓ１１０６）、自ＮＥの装置の設定を行わない。
【０１７７】
制御処理部４２１は、ステップＳ１１０５またはステップＳ１１０６のＮＥ設定結果を元にＮＥ設定応答メッセージのメッセージペイロード３を生成し、次の宛先ＮＥを判定する（ステップＳ１１０７）。「ＮＥ設定完了」（ステップＳ１１０５）の場合、メッセージ識別子３１は「ＮＥ設定完了」となり、「ＮＥ設定失敗」（ステップＳ１１０６）の場合、メッセージ識別子３１は「ＮＥ設定失敗」となる。また、このときの宛先ＮＥは、自ＮＥより１つ上流のＮＥとなるので、ＮＥ１２−３を指定する。制御処理部４２１は、生成したＮＥ設定応答メッセージのメッセージペイロード３、および次の宛先ＮＥ（ＮＥ１２−３）の情報をメッセージ処理部４３３に渡す。
【０１７８】
メッセージ処理部４３３は、制御処理部４２１から受け取った情報を元に、次の宛先ＮＥ（ＮＥ１２−３）宛のＮＥ設定応答メッセージを生成し、メッセージ送信部４３２は、生成されたＮＥ設定応答メッセージを次の宛先ＮＥであるＮＥ１２−３に接続されている通信ポート４４−ｄ（１≦ｄ≦ｋ）から送信する（ステップＳ１１０８）。
【０１７９】
なお、ＮＥがＮＥ設定解除要求メッセージを受信した場合の動作については、「ＮＥ設定応答」が「ＮＥ設定解除応答」に変わるが、その他の動作は同様である。
【０１８０】
以上説明したように、本実施の形態では、通信システムは、大規模なネットワークにおいて論理回線を確立する際、管理装置１１が論理回線１４を複数のシグナリング区間に分割した各シグナリング区間の起点となるＮＥに論理回線確立指示を出し、その論理回線の確立応答の有無をシグナリング区間ごとに管理することとした。これにより、複数のシグナリング起点ＮＥが並列にシグナリングを行うことで、管理装置１１の処理負荷やＤＣＮの通信負荷を軽減することができる。また、高速に論理回線の確立を行なうことが可能となる。
【０１８１】
実施の形態２．
実施の形態１では、大規模なネットワークにおいて論理回線１４を確立する際、管理装置１１が、当該論理回線１４を複数のシグナリング区間に分割した各シグナリング区間の起点となるＮＥに論理回線確立指示を出し、その論理回線の確立応答の有無をシグナリング区間ごとに管理することで、複数のシグナリング起点ＮＥが並列にシグナリングを行い、管理装置の処理負荷やＤＣＮの通信負荷を軽減すると同時に、高速に論理回線の確立を行った。
【０１８２】
本実施の形態では、一部のシグナリング区間において論理回線の確立に失敗した場合に、管理装置１１が、当該シグナリング区間のみの経路探索およびシグナリングを行なう。実施の形態１と異なる部分について説明する。
【０１８３】
まず、本実施の形態で使用するシグナリング起点ＮＥ応答結果記憶テーブル７Ｂの構成について説明する。図１６は、本実施の形態において制御結果記憶部５１５がある論理回線の各シグナリング起点ＮＥからの論理回線確立応答の結果を記憶するためのシグナリング起点ＮＥ応答結果記憶テーブル７Ｂの構成例を示す図である。シグナリング起点ＮＥ応答結果記憶テーブル７Ｂは、シグナリング起点ＮＥ識別子領域７１と、応答の有無記憶領域７２と、結果領域７３と、から構成される。シグナリング起点ＮＥ応答結果記憶テーブル７Ａに、結果領域７３を追加した構成となる。結果領域７３は、各シグナリング起点ＮＥからの論理回線確立応答の結果を格納する領域である。
【０１８４】
つづいて、本実施の形態の通信システムにおいて論理回線１４を確立する動作について説明する。図１７は、本実施の形態の通信システムにおいて、あるＮＥで装置の設定に失敗した場合の動作概要を示すシーケンス図である。本実施の形態の通信システムの動作概要を示すものである。
【０１８５】
Ｍ２０５−５は、論理回線を確立する際にＮＥの設定に失敗したことを通知するためにＮＥ間で送受信されるＮＥ設定失敗応答メッセージである。Ｍ２０６−５は、ＮＥ１２−５が自シグナリング区間において論理回線の確立に失敗したことを管理装置１１に応答する際に送信される論理回線確立失敗応答メッセージである。Ｍ２１３−３は、管理装置１１がＮＥ１２−５に対して迂回経路での論理回線確立を要求する際に送信される論理回線確立要求メッセージである。Ｍ２１４−３は、ＮＥ１２−５が迂回経路で論理回線確立を確立するために迂回経路上の次のＮＥであるＮＥ１２−７に対してＮＥの設定を要求する際に送信されるＮＥ設定要求メッセージである。Ｍ２１５−３は、ＮＥ１２−７がＮＥ１２−５に対してＮＥの設定が完了したことを応答するためにＮＥ間で送受信されるＮＥ設定完了応答メッセージである。Ｍ２１６−３は、ＮＥ１２−５が迂回経路での論理回線確立に成功したことを管理装置１１に応答する際に送信される論理回線確立成功応答メッセージである。
【０１８６】
本実施の形態の通信システムは、実施の形態１と同様、論理回線を確立する際に管理装置１１が論理回線１４の経路を決定し、シグナリングによって論理回線１４上のＮＥの設定を行う通信システムに適用する。実施の形態１では、一部のシグナリング区間でＮＥの設定に失敗した場合、全シグナリング区間において設定を解除するだけであったが、本実施の形態では、当該区間において管理装置１１が別の経路を探索し、その区間のみを再設定することで、より高速化できると同時に信頼性を向上させることが可能である。
【０１８７】
図１７のシーケンス図において、まず、ネットワーク１２内でＮＥ１２−１を起点、ＮＥ１２−７を終点とし、順にＮＥ１２−２、ＮＥ１２−３、ＮＥ１２−４、ＮＥ１２−５、ＮＥ１２−６、を経由する論理回線１４を確立する際に、ＮＥ１２−６でＮＥ設定に失敗し、ＮＥ１２−１を起点、ＮＥ１２−７を終点とし、順にＮＥ１２−２、ＮＥ１２−３、ＮＥ１２−４、ＮＥ１２−５を経由する経路で論理回線１４を設定しなおす場合を例に、動作の概要を説明する。
【０１８８】
管理装置１１は、シグナリング区間としてシグナリング区間１４−１、１４−２、１４−３を、各シグナリング区間のシグナリング起点ＮＥとしてＮＥ１２−１、ＮＥ１２−３、ＮＥ１２−５を選択する。管理装置１１は、選択したシグナリング起点ＮＥであるＮＥ１２−１、ＮＥ１２−３、ＮＥ１２−５に対して、論理回線確立要求メッセージＭ２０１−１、Ｍ２０１−２、Ｍ２０１−３を送信する。
【０１８９】
論理回線確立要求メッセージＭ２０１−１、Ｍ２０１−２、Ｍ２０１−３をそれぞれ受信したＮＥ１２−１、ＮＥ１２−３、ＮＥ１２−５は、ほぼ同時に論理回線１４上で自ＮＥの下流に位置するＮＥ１２−２、ＮＥ１２−４、ＮＥ１２−６にそれぞれＮＥ設定要求メッセージＭ２０２−１、Ｍ２０２−２、Ｍ２０２−３を送信する。
【０１９０】
ＮＥ設定要求メッセージＭ２０２−１、Ｍ２０２−２、Ｍ２０２−３をそれぞれ受信したＮＥ１２−２、ＮＥ１２−４、ＮＥ１２−６は、ほぼ同時に論理回線１４上で自ＮＥの下流に位置するＮＥ１２−３、ＮＥ１２−５、ＮＥ１２−７にそれぞれＮＥ設定要求メッセージＭ２０３−１、Ｍ２０３−２、Ｍ２０３−３を送信する。
【０１９１】
ＮＥ設定要求メッセージＭ２０３−１、Ｍ２０３−２、Ｍ２０３−３をそれぞれ受信したＮＥ１２−３、ＮＥ１２−５、ＮＥ１２−７は、受信したＮＥ設定要求メッセージＭ２０３−１、Ｍ２０３−２、Ｍ２０３−３の設定情報３３１２−３に基づいて自装置の設定を行う。
【０１９２】
設定が完了すると、ＮＥ１２−３、ＮＥ１２−５、ＮＥ１２−７は、ＮＥ設定完了応答メッセージＭ２０４−１、Ｍ２０４−２、Ｍ２０４−３を論理回線１４上で自ＮＥの上流に位置するＮＥ１２−２、ＮＥ１２−４、ＮＥ１２−６にそれぞれ送信する。
【０１９３】
ＮＥ設定完了応答メッセージＭ２０４−１、Ｍ２０４−２、Ｍ２０４−３をそれぞれ受信したＮＥ１２−２、ＮＥ１２−４、ＮＥ１２−６は、先に受信したＮＥ設定要求メッセージＭ２０２−１、Ｍ２０２−２、Ｍ２０２−３の設定情報３３１２−２に基づいて自装置の設定を行う。
【０１９４】
設定が完了すると、ＮＥ１２−２、ＮＥ１２−４は、ＮＥ設定完了応答メッセージＭ２０５−１、Ｍ２０５−２を論理回線１４上で自ＮＥの上流に位置するＮＥ１２−１、ＮＥ１２−３にそれぞれ送信する。
【０１９５】
ここで、ＮＥ１２−６で設定に失敗すると、ＮＥ１２−６は、ＮＥ設定完了応答メッセージＭ２０５−３ではなく、ＮＥ設定失敗応答メッセージＭ２０５−５を上流のＮＥであるＮＥ１２−５に送信する。
【０１９６】
ＮＥ設定完了応答メッセージＭ２０５−１を受信したＮＥ１２−１は、先に受信した論理回線確立要求メッセージＭ２０１−１の設定情報３３１２−１に基づいて自装置の設定を行う。ＮＥ設定完了応答メッセージＭ２０５−２を受信したＮＥ１２−３は、先に受信した論理回線確立要求メッセージＭ２０１−２の設定情報３３１２−１に基づいて自装置の設定が行われていることを確認する。
【０１９７】
シグナリング区間において設定が正常に完了したシグナリング起点ＮＥであるＮＥ１２−１、ＮＥ１２−３は、自装置の設定を確認すると、管理装置１１に対して、論理回線確立成功応答メッセージＭ２０６−１、Ｍ２０６−２を送信する。
【０１９８】
ここで、設定に失敗したＮＥ１２−６からＮＥ設定失敗応答メッセージＭ２０５−５を受信したシグナリング起点ＮＥであるＮＥ１２−５は、管理装置１１に対して、論理回線確立成功応答メッセージＭ２０６−３ではなく、論理回線確立失敗応答メッセージＭ２０６−５を送信する。
【０１９９】
管理装置１１は、１つ以上のシグナリング起点ＮＥから論理回線確立失敗応答を受信すると、当該シグナリング区間において別の経路を探索する。ここでは、ＮＥ１２−５を始点、ＮＥ１２−７を終点とし、中継ＮＥが存在しない経路を発見したものとする。代替の経路を発見すると、管理装置１１は、当該シグナリング区間においてのみ途中まで設定した各ＮＥの設定を設定前の状態に戻すよう、当該シグナリング区間のシグナリング起点ＮＥに要求を送信する。
【０２００】
管理装置１１は、別の経路を探索するシグナリング区間のシグナリング起点ＮＥであるＮＥ１２−５に対して論理回線削除要求メッセージＭ２０７−３を送信する。
【０２０１】
論理回線削除要求メッセージＭ２０７−３を受信したＮＥ１２−５は、論理回線１４上で自ＮＥの下流に位置するＮＥ１２−６にＮＥ設定解除要求メッセージＭ２０８−３を送信する。
【０２０２】
ＮＥ設定解除要求メッセージＭ２０８−３を受信したＮＥ１２−６は、論理回線１４上で自ＮＥの下流に位置するＮＥ１２−７にＮＥ設定解除要求メッセージＭ２０９−３を送信する。
【０２０３】
各ＮＥにおける設定を解除する場合は、設定の場合と同様、各シグナリング区間において下流側のＮＥから設定が変更されていく。
【０２０４】
ＮＥ１２−７は、受信したＮＥ設定解除要求メッセージＭ２０９−３に基づいて自装置の設定の解除を行う。
【０２０５】
設定の解除を行うと、ＮＥ１２−７は、ＮＥ設定解除成功応答メッセージＭ２１０−３を論理回線１４上で自ＮＥの上流に位置するＮＥ１２−６に送信する。
【０２０６】
ＮＥ設定解除成功応答メッセージＭ２１０−３を受信したＮＥ１２−６は、先に受信したＮＥ設定解除要求メッセージＭ２０８−３に基づいて自装置の設定の解除を行う。
【０２０７】
設定の解除を行うと、ＮＥ１２−６は、ＮＥ設定解除成功応答メッセージＭ２１１−３を論理回線１４上で自ＮＥの上流に位置するＮＥ１２−５に送信する。なお、ＮＥ１２−７およびＮＥ１２−６では、装置の設定の解除に失敗した場合、ＮＥ設定解除失敗応答メッセージを送信する。
【０２０８】
下流のＮＥ１２−６からＮＥ設定解除の結果に関するメッセージを受信したシグナリング起点ＮＥのＮＥ１２−５は、受信したメッセージがＮＥ設定解除成功応答メッセージの場合、先に受信した論理回線削除要求メッセージＭ２０７−３に基づいて自装置の設定の解除を行う。また、ＮＥ１２−５は、管理装置１１に対して、受信したメッセージがＮＥ設定解除成功応答メッセージの場合は論理回線削除成功応答メッセージＭ２１２−３を送信し、受信したメッセージがＮＥ設定解除失敗応答メッセージの場合は論理回線削除失敗応答メッセージを送信する。
【０２０９】
つぎに、管理装置１１は、設定が解除されたシグナリング区間１４−３のシグナリング起点ＮＥであるＮＥ１２−５に対してのみ、経路をＮＥ１２−５、ＮＥ１２−７として論理回線確立要求メッセージＭ２１３−３を送信する。
【０２１０】
論理回線確立要求メッセージＭ２１３−３を受信したＮＥ１２−５は、論理回線１４上で自ＮＥの下流に位置するＮＥ１２−７にＮＥ設定要求メッセージＭ２１４−３を送信する。
【０２１１】
ＮＥ設定要求メッセージＭ２１４−３を受信したＮＥ１２−７は、受信したＮＥ設定要求メッセージＭ２１４−３の設定情報３３１２−２に基づいて自装置の設定を行う。
【０２１２】
設定が完了すると、ＮＥ１２−７は、ＮＥ設定完了応答メッセージＭ２１５−３を論理回線１４上で自ＮＥの上流に位置するＮＥ１２−５に送信する。
【０２１３】
ＮＥ設定完了応答メッセージＭ２１５−３を受信したＮＥ１２−５は、先に受信した論理回線確立要求メッセージＭ２１３−３の設定情報３３１２−１に基づいて自装置の設定を行う。
【０２１４】
シグナリング区間において設定が正常に完了したシグナリング起点ＮＥであるＮＥ１２−５は、自装置の設定を確認すると、管理装置１１に対して、論理回線確立成功応答メッセージＭ２１６−３を送信する。
【０２１５】
つづいて、以上で説明した論理回線１４を確立する動作において、管理装置１１にかかる動作の詳細をフローチャートに基づいて説明する。図１８，１９，２０は、本実施の形態において論理回線１４を確立する際の管理装置１１の動作を示すフローチャートである。
【０２１６】
まず、管理装置１１では、論理回線１４の確立要求を受けると、論理回線制御部５１の制御処理部５１１は、確立しようとする論理回線１４の識別子を設定し、経路決定部５１４は、確立しようとする論理回線１４の経路を決定する（ステップＳ１２０１）。ここでは、一例として、論理回線識別子をＩＤ−１４とする。
【０２１７】
制御判定部５１２は、論理回線１４の経路が決定すると、確立しようとする論理回線１４上においてｔ個のシグナリング区間と、それぞれのシグナリング区間におけるシグナリング起点ＮＥを決定する（ステップＳ１２０２）。ここでは、シグナリング区間はシグナリング区間１４−１、１４−２、１４−３の３個であり、シグナリング起点ＮＥはそれぞれＮＥ１２−１、ＮＥ１２−３、ＮＥ１２−５である。
【０２１８】
制御処理部５１１は、制御結果記憶部５１５の「シグナリング起点ＮＥ数記憶テーブル６」に、確立しようとする論理回線１４のエントリを追加し、制御結果記憶部５１５に、当該論理回線１４に関する「シグナリング起点ＮＥ応答結果記憶テーブル７Ｂ」を生成する（ステップＳ１２０３）。
【０２１９】
シグナリング起点ＮＥ応答結果記憶テーブル７Ｂは、確立制御を実施中の各論理回線について、シグナリング起点ＮＥとそれぞれのシグナリング起点ＮＥからの論理回線確立応答の結果を記憶するために保持されている。例えば、論理回線１４については、初期の記載内容は下記のとおりである。
【０２２０】
｛シグナリング起点ＮＥ識別子領域７１，応答の有無記憶領域７２，結果領域７３｝
＝｛ＮＥ１２−１，無，―｝，｛ＮＥ１２−３，無，―｝，｛ＮＥ１２−５，無，―｝
【０２２１】
これにより、管理装置１１では、シグナリング起点ＮＥ数記憶テーブル６およびシグナリング起点ＮＥ応答結果記憶テーブル７Ｂに基づいて、ある論理回線（ここでは論理回線１４）について、シグナリング区間ごとに論理回線確立設定が正常に完了したか否かを管理することが可能となる。
【０２２２】
制御処理部５１１は、各シグナリング起点ＮＥに送信するｔ個の論理回線確立要求メッセージのメッセージペイロード３を生成し、送信先ＮＥの情報とともにメッセージ処理部５２３に渡す（ステップＳ１２０４）。このとき、メッセージ識別子３１は「論理回線確立要求」であり、論理回線識別子３２はＩＤ−１４である。送信先ＮＥは、シグナリング起点ＮＥであるＮＥ１２−１、ＮＥ１２−３、ＮＥ１２−５である。また、経路情報３３は、各シグナリング区間上のＮＥを一意に区別するためのＮＥ識別子（３３１１−ｉ）と各ＮＥにおける装置の設定情報（３３１２−ｉ）の組合せからなり、宛先となるシグナリング起点ＮＥによって異なる。例えば、シグナリング起点ＮＥ１２−３に送信するメッセージの経路情報３３は次のような情報を持つ。
【０２２３】
ＮＥ識別子３３１１−１：ＮＥ１２−３
設定情報３３１２−１：リンク１３−２−３からの回線はリンク１３−３−４へ切替
【０２２４】
ＮＥ識別子３３１１−２：ＮＥ１２−４
設定情報３３１２−２：リンク１３−３−４からの回線はリンク１３−４−５へ切替
【０２２５】
ＮＥ識別子３３１１−３：ＮＥ１２−５
設定情報３３１２−３：リンク１３−４−５からの回線はリンク１３−５−６へ切替
【０２２６】
メッセージ処理部５２３は、ステップＳ１２０４で制御処理部５１１より受け取った情報を元に、ｔ個のシグナリング起点ＮＥ宛のメッセージを生成する（ステップＳ１２０５）。ここでは、送信先ＮＥをそれぞれシグナリング起点ＮＥであるＮＥ１２−１、ＮＥ１２−３、ＮＥ１２−５とし、メッセージ処理部５２３は、合計３個の論理回線確立要求メッセージを生成する。
【０２２７】
メッセージ送信部５２２は、通信ポート５３からｔ個（ここでは３個）のシグナリング起点ＮＥ（ＮＥ１２−１、ＮＥ１２−３、ＮＥ１２−５）宛に、ステップＳ１２０５で生成されたメッセージ（論理回線確立要求メッセージ）を送信する（ステップＳ１２０６）。
【０２２８】
このとき、制御処理部５１１は、制御タイマ５１３を起動する（ステップＳ１２０７）。
【０２２９】
制御タイマ５１３が起動されると、制御処理部５１１は、制御タイマ５１３がタイムアウトしたか否かを確認する（ステップＳ１２０８）。
【０２３０】
制御処理部５１１の確認の結果、制御タイマ５１３がタイムアウトしていない場合（ステップＳ１２０８：Ｎｏ）、メッセージ受信部５２１は、ｓ番目のシグナリング起点ＮＥから論理回線確立応答メッセージを受信したか否かを確認する（ステップＳ１２０９）。
【０２３１】
メッセージ受信部５２１の確認の結果、論理回線確立応答メッセージを受信している場合（ステップＳ１２０９：Ｙｅｓ）、制御処理部５１１は、ステップＳ１２０３で生成した論理回線１４に関するシグナリング起点ＮＥ応答結果記憶テーブル７Ｂのｓ番目のシグナリング起点ＮＥのエントリの応答の有無記憶領域７２に「有」を記憶する（ステップＳ１２１０）。
【０２３２】
制御処理部５１１は、ステップＳ１２０９においてメッセージ受信部５２１が受信した論理回線確立応答メッセージが論理回線確立成功応答か否かを確認する（ステップＳ１２１１）。
【０２３３】
制御処理部５１１は、確認の結果、受信した論理回線確立応答メッセージが論理回線確立成功応答の場合（ステップＳ１２１１：Ｙｅｓ）、論理回線１４に関するシグナリング起点ＮＥ応答結果記憶テーブル７Ｂのｓ番目のシグナリング起点ＮＥのエントリの結果領域７３に「成功」として記載する（ステップＳ１２１２）。
【０２３４】
制御判定部５１２は、シグナリング起点ＮＥ応答結果記憶テーブル７Ｂを確認し、ｔ個すべてのシグナリング起点ＮＥからの論理回線確立応答が「有」か否かを確認する（ステップＳ１２１５）。
【０２３５】
制御判定部５１２は、確認の結果、ｔ個すべてのシグナリング起点ＮＥからの論理回線確立応答が「有」の場合（ステップＳ１２１５：Ｙｅｓ）、さらに、ｔ個すべてのシグナリング起点ＮＥからの論理回線確立応答が「成功」か否かを判定する（ステップＳ１２１６）。
【０２３６】
制御判定部５１２は、確認の結果、ｔ個すべてが成功の場合（ステップＳ１２１６：Ｙｅｓ）、論理回線１４の確立が成功したと判定し、確立完了となる（ステップＳ１２１７）。
【０２３７】
なお、ステップＳ１２０９において、メッセージ受信部５２１の確認の結果、ｓ番目のシグナリング起点ＮＥから論理回線確立応答メッセージを受信していない場合（ステップＳ１２０９：Ｎｏ）、および、Ｓ１２１５において、制御判定部５１２の確認の結果、ｔ個すべてのシグナリング起点ＮＥからの論理回線確立応答メッセージを受信していない場合（ステップＳ１２１５：Ｎｏ）、ステップＳ１２０８へ移行し、制御処理部５１１は、制御タイマ５１３がタイムアウトしたか否かを確認する（ステップＳ１２０８）。
【０２３８】
また、ステップＳ１２１１において、制御処理部５１１の確認の結果、ステップＳ１２０９で受信した論理回線確立応答メッセージが「失敗」の場合（ステップＳ１２１１：Ｎｏ）、制御処理部５１１は、論理回線１４に関するシグナリング起点ＮＥ応答結果記憶テーブル７Ｂのｓ番目のシグナリング起点ＮＥのエントリの結果領域７３に「失敗」として記載する（ステップＳ１２１３）。
【０２３９】
また、ステップＳ１２０８において、制御処理部５１１の確認の結果、制御タイマ５１３がタイムアウトしている場合（ステップＳ１２０８：Ｙｅｓ）、制御処理部５１１は、論理回線１４に関するシグナリング起点ＮＥ応答結果記憶テーブル７Ｂにて、論理回線確立応答が来ていないシグナリング起点ＮＥのエントリの結果領域７３に「失敗」として記載し（ステップＳ１２１４）、制御判定部５１２は、論理回線１４の確立が失敗したと判定する（ステップＳ１２１８）。
【０２４０】
また、ステップＳ１２１６において、制御判定部５１２の確認の結果、ｔ個すべてのシグナリング起点ＮＥからの応答が成功でない場合（ステップＳ１２１６：Ｎｏ）、すなわち、１つでも論理回線確立に失敗したシグナリング区間がある場合、制御判定部５１２は、論理回線１４の確立が失敗したと判定する（ステップＳ１２１８）。
【０２４１】
論理回線１４の確立が失敗した場合（ステップＳ１２１８）、経路決定部５１４は、確立に失敗したシグナリング区間の迂回経路を検索し決定する（ステップＳ１２１９）。ここでは、ＮＥ１２−５を起点、ＮＥ１２−７を終点とし、中継点が存在しない経路を発見したものとする。また、制御判定部５１２は、迂回経路にて再設定を行うシグナリング区間に関して、新たに設定するｖ個のシグナリング区間と各シグナリング区間のシグナリング起点ＮＥを再度決定する（ステップＳ１２１９）。ここでは、再設定を行うシグナリング区間はシグナリング区間１４−３の１つであり、ＮＥ１２−５がシグナリング起点ＮＥとなる。
【０２４２】
代替の経路が見つかると、制御処理部５１１は、ステップＳ１２０３で生成した論理回線１４に関するシグナリング起点ＮＥ応答結果記憶テーブル７Ｂのうち、ステップＳ１２１８で失敗となったｕ（ｕは１以上ｔ以下の整数）個のシグナリング区間以外の（ｔ−ｕ）個のシグナリング起点ＮＥのエントリを削除し、残ったｕ個のエントリすべての応答の有無記憶領域７２を「無」にし、結果領域７３の値を初期化する（ステップＳ１２２０）。ここでは、制御処理部５１１は、ＮＥ１２−１、ＮＥ１２−３のエントリを削除し、ＮＥ１２−５のエントリが「無」になる。また、制御処理部５１１は、シグナリング起点ＮＥ数記憶テーブル６の当該論理回線のエントリのシグナリング起点ＮＥ数記憶領域６２の値をｕに書きかえる。
【０２４３】
制御処理部５１１は、各シグナリング起点ＮＥに送信するｕ個の論理回線削除要求メッセージのメッセージペイロード３を生成し、送信先ＮＥの情報とともにメッセージ処理部５２３に渡す（ステップＳ１２２１）。このとき、メッセージ識別子３１は「論理回線削除要求」であり、論理回線識別子３２はＩＤ−１４である。また、送信先ＮＥは、シグナリング起点ＮＥであるＮＥ１２−５である。
【０２４４】
メッセージ処理部５２３は、ステップＳ１２２１で受け取った情報を元に、ｕ個のシグナリング起点ＮＥ宛のメッセージを生成する（ステップＳ１２２２）。ここでは、送信先ＮＥをシグナリング起点ＮＥであるＮＥ１２−５とし、メッセージ処理部５２３は、１個の論理回線削除要求メッセージを生成する。
【０２４５】
メッセージ送信部５２２は、通信ポート５３からｕ個（ここでは１個）のシグナリング起点ＮＥ（ＮＥ１２−５）宛に、ステップＳ１２２２で生成されたメッセージ（論理回線削除要求メッセージ）を送信する（ステップＳ１２２３）。
【０２４６】
このとき、制御処理部５１１は、制御タイマ５１３を起動する（ステップＳ１２２４）。
【０２４７】
制御タイマ５１３が起動されると、制御処理部５１１は、制御タイマ５１３がタイムアウトしたか否かを確認する（ステップＳ１２２５）。
【０２４８】
制御処理部５１１の確認の結果、制御タイマ５１３がタイムアウトしていない場合（ステップＳ１２２５：Ｎｏ）、メッセージ受信部５２１は、ｓ番目のシグナリング起点ＮＥから論理回線削除応答メッセージを受信したか否かを確認する（ステップＳ１２２６）。
【０２４９】
メッセージ受信部５２１の確認の結果、論理回線削除応答メッセージを受信した場合（ステップＳ１２２６：Ｙｅｓ）、制御処理部５１１は、受信した論理回線削除応答メッセージが論理回線削除成功応答か否かを確認する（ステップＳ１２２７）。
【０２５０】
制御処理部５１１の確認の結果、受信した論理回線削除応答メッセージが論理回線削除成功応答の場合（ステップＳ１２２７：Ｙｅｓ）、制御処理部５１１は、論理回線１４に関するシグナリング起点ＮＥ応答結果記憶テーブル７Ｂに、メッセージ送信元のｓ番目のシグナリング起点ＮＥからのシグナリング応答が「有」として記載する（ステップＳ１２２８）。
【０２５１】
制御判定部５１２は、シグナリング起点ＮＥ応答結果記憶テーブル７Ｂを確認し、ｕ個すべてのシグナリング起点ＮＥからの論理回線削除成功応答が「有」か否かを確認する（ステップＳ１２２９）。
【０２５２】
制御判定部５１２は、確認の結果、ｕ個すべてのシグナリング起点ＮＥからの論理回線削除成功応答が「有」の場合（ステップＳ１２２９：Ｙｅｓ）、論理回線１４の削除が成功したと判定し、削除完了となる（ステップＳ１２３０）。
【０２５３】
なお、ステップＳ１２２６において、メッセージ受信部５２１の確認の結果、論理回線削除応答メッセージを受信していない場合（ステップＳ１２２６：Ｎｏ）、および、ステップＳ１２２９において、制御判定部５１２の確認の結果、ｕ個すべてのシグナリング起点ＮＥからの応答が「有」でない場合（ステップＳ１２２９：Ｎｏ）、ステップＳ１２２５へ移行し、制御処理部５１１は、制御タイマ５１３がタイムアウトしたか否かを確認する（ステップＳ１２２５）。
【０２５４】
また、ステップＳ１２２５において、制御処理部５１１の確認の結果、制御タイマ５１３がタイムアウトしている場合（ステップＳ１２２５：Ｙｅｓ）、および、ステップＳ１２２７において、制御処理部５１１の確認の結果、受信した論理回線削除応答メッセージが論理回線削除成功応答でない場合（ステップＳ１２２７：Ｎｏ）、すなわち、１つでも論理回線削除に失敗したシグナリング区間がある場合、制御判定部５１２は、直ちに論理回線１４の削除が失敗したと判定する（ステップＳ１２３１）。
【０２５５】
失敗したシグナリング区間のＮＥの設定が解除されると、管理装置１１では、ステップＳ１２１９で決定した代替経路の確立を指示する。
【０２５６】
削除完了の場合（ステップＳ１２３０）、制御処理部５１１は、論理回線１４に関するシグナリング起点ＮＥ応答結果記憶テーブル７Ｂのエントリを一度全て削除し、ステップＳ１２１９で決定したｖ個の新しいシグナリング起点ＮＥのエントリを新たに追加する（ステップＳ１２３２）。ここでは、記載内容は下記のとおりである。
【０２５７】
｛シグナリング起点ＮＥ識別子領域７１，応答の有無記憶領域７２，結果領域７３｝
＝｛ＮＥ１２−５，無，―｝
【０２５８】
また、制御処理部５１１は、シグナリング起点ＮＥ数記憶テーブル６の当該論理回線のエントリのシグナリング起点ＮＥ数記憶領域６２の値をｖに書きかえる（ステップＳ１２３２）。
【０２５９】
制御処理部５１１は、各シグナリング起点ＮＥに送信するｖ個の論理回線確立要求メッセージのメッセージペイロード３を生成し、送信先ＮＥの情報とともにメッセージ処理部５２３に渡す（ステップＳ１２３３）。このとき、メッセージ識別子３１は「論理回線確立要求」であり、論理回線識別子３２はＩＤ−１４である。送信先ＮＥは、シグナリング起点ＮＥであるＮＥ１２−５である。また、経路情報３３は次のような情報を持つ。
【０２６０】
ＮＥ識別子３３１１−１：ＮＥ１２−５
設定情報３３１２−１：リンク１３−４−５からの回線はリンク１３−５−７へ切替
【０２６１】
ＮＥ識別子３３１１−２：ＮＥ１２−７
設定情報３３１２−２：リンク１３−５−７からの回線を終端する
【０２６２】
メッセージ処理部５２３は、ステップＳ１２３３で制御処理部５１１より受け取った情報を元に、ｖ個のシグナリング起点ＮＥ宛のメッセージを生成する（ステップＳ１２３４）。ここでは、送信先ＮＥをシグナリング起点ＮＥであるＮＥ１２−５とし、メッセージ処理部５２３は、１個の論理回線確立要求メッセージを生成する。
【０２６３】
メッセージ送信部５２２は、通信ポート５３からｖ個（ここでは１個）のシグナリング起点ＮＥ（ＮＥ１２−５）宛に、ステップＳ１２３４で生成されたメッセージ（論理回線確立要求メッセージ）を送信する（ステップＳ１２３５）。以降の動作は、ステップＳ１２０７（図１８参照）以降の動作と同様である。
【０２６４】
なお、本実施の形態では、論理回線が確立成功するまで論理回線削除と論理回線確立指示を繰り返す仕組みになっているが、試行回数の上限を決めてもよい。
【０２６５】
また、ここでは、再設定したシグナリング起点ＮＥは、最初に選択して設定に失敗したシグナリング起点ＮＥと同じもののみ、すなわち、ＮＥ１２−５としたが、代替経路上のＮＥの台数が多い場合には、適宜シグナリング起点ＮＥを追加してもよい。
【０２６６】
また、複数の隣り合うシグナリング区間において同時に設定に失敗した場合は、これらシグナリング区間の境界となるシグナリング起点ＮＥが異なるものになるような経路を選択してもよい。すなわち、仮にシグナリング区間１４−２と１４−３とで同時に設定に失敗した場合は、ＮＥ１２−３とＮＥ１２−７の間の経路としてＮＥ１２−３、ＮＥ１２−８、ＮＥ１２−６、ＮＥ１２−７を選択し、新たなシグナリング起点ＮＥをＮＥ１２−３とＮＥ１２−６としてもよい。
【０２６７】
以上説明したように、本実施の形態では、実施の形態１と同様、次のような効果が得られる。大規模なネットワークにおいて論理回線を確立する際、管理装置１１が、論理回線１４を複数のシグナリング区間に分割した各シグナリング区間の起点となるＮＥに論理回線確立指示を出し、その論理回線１４の確立応答の結果をシグナリング区間ごとに管理することとした。これにより、複数のシグナリング起点ＮＥが並列にシグナリングを行い、管理装置１１の処理負荷やＤＣＮの通信負荷を軽減すると同時に、高速に論理回線の確立を行なうことが可能となる。
【０２６８】
さらに、実施の形態１では、一部のシグナリング区間でＮＥの設定に失敗した場合全シグナリング区間において設定を解除するだけであったが、本実施の形態では、管理装置１１が、論理回線確立が成功か失敗かという結果を区間ごとに管理することで、一部のシグナリング区間において論理回線確立に失敗した場合に、当該区間において管理装置１１が別の経路を探索し、その区間のみを再設定することとした。これにより、論理回線確立をより高速化できると同時に、論理回線確立の成功率を高め信頼性を向上することができるという効果が得られる。
【０２６９】
実施の形態３．
実施の形態２では、論理回線確立の高速化並びに信頼性向上を図るため、論理回線１４を確立する際、管理装置１１が、論理回線１４を複数のシグナリング区間に分割して論理回線確立要求を出すと同時に、論理回線確立応答結果をシグナリング区間ごとに管理することで、一部のシグナリング区間において論理回線１４の確立に失敗した場合、論理回線１４の確立に失敗した一部のシグナリング区間についてのみ、管理装置１１が、経路の再探索およびシグナリングを行った。
【０２７０】
本実施の形態では、ＮＥが迂回経路を探索する機能を持つことにより、一部のシグナリング区間において論理回線１４の確立に失敗した場合、自律的に当該シグナリング区間のみの経路探索およびシグナリングを行なう。実施の形態２と異なる部分について説明する。
【０２７１】
まず、本実施の形態のＮＥの構成について説明する。図２１は、本実施の形態のＮＥの構成例を示す図である。ＮＥは、装置制御部４１と、論理回線制御部４２ａと、監視制御通信部４３と、通信ポート４４−１、４４−２、…、４４−ｋと、を備える。論理回線制御部４２ａは、論理回線の確立、削除等の制御を行なう。
【０２７２】
論理回線制御部４２ａは、制御処理部４２１と、制御判定部４２２と、制御タイマ４２３と、制御内容記憶部４２４と、迂回経路探索部４２５と、を備える。迂回経路探索部４２５は、ＮＥがシグナリング起点ＮＥである場合、自ＮＥがシグナリング起点ＮＥとなるシグナリング区間において論理回線確立に失敗した際に、当該シグナリング区間の迂回経路を探索する。
【０２７３】
つづいて、本実施の形態の通信システムにおいて論理回線１４を確立する動作について説明する。図２２は、本実施の形態の通信システムにおいて、あるＮＥで装置の設定に失敗した場合の動作概要を示すシーケンス図である。本実施の形態の通信システムの動作概要を示すものである。各メッセージの構成は図１７のものと同様である。
【０２７４】
本実施の形態の通信システムは、実施の形態１，２と同様、論理回線を確立する際に管理装置１１が論理回線１４の経路を決定し、シグナリングによって論理回線１４上のＮＥの設定を行うような通信システムに適用する。実施の形態２では、一部のシグナリング区間でＮＥの設定に失敗した場合、当該区間において管理装置１１が別の経路を探索し、その区間のみを再設定するものであったが、本実施の形態では、ＮＥが当該区間の経路の再探索および再設定を自律的に行うことで、より高速化できると同時に管理装置１１の処理負荷やＤＣＮ１５の通信負荷を軽減することが可能である。
【０２７５】
図２２のシーケンス図において、まず、ネットワーク１２内でＮＥ１２−１を起点、ＮＥ１２−７を終点とし、順にＮＥ１２−２、ＮＥ１２−３、ＮＥ１２−４、ＮＥ１２−５、ＮＥ１２−６、を経由する論理回線１４を確立する際に、ＮＥ１２−６でＮＥ設定に失敗し、ＮＥ１２−１を起点、ＮＥ１２−７を終点とし、順にＮＥ１２−２、ＮＥ１２−３、ＮＥ１２−４、ＮＥ１２−５を経由する経路で論理回線１４を設定しなおす場合を例に、動作の概要を説明する。
【０２７６】
管理装置１１は、シグナリング区間としてシグナリング区間１４−１、１４−２、１４−３を、各シグナリング区間のシグナリング起点ＮＥとしてＮＥ１２−１、ＮＥ１２−３、ＮＥ１２−５を選択する。管理装置１１は、選択したシグナリング起点ＮＥであるＮＥ１２−１、ＮＥ１２−３、ＮＥ１２−５に対して、論理回線確立要求メッセージＭ２０１−１、Ｍ２０１−２、Ｍ２０１−３を送信する。
【０２７７】
論理回線確立要求メッセージＭ２０１−１、Ｍ２０１−２、Ｍ２０１−３をそれぞれ受信したＮＥ１２−１、ＮＥ１２−３、ＮＥ１２−５は、ほぼ同時に論理回線１４上で自ＮＥの下流に位置するＮＥ１２−２、ＮＥ１２−４、ＮＥ１２−６にそれぞれＮＥ設定要求メッセージＭ２０２−１、Ｍ２０２−２、Ｍ２０２−３を送信する。
【０２７８】
ＮＥ設定要求メッセージＭ２０２−１、Ｍ２０２−２、Ｍ２０２−３をそれぞれ受信したＮＥ１２−２、ＮＥ１２−４、ＮＥ１２−６は、ほぼ同時に論理回線１４上で自ＮＥの下流に位置するＮＥ１２−３、ＮＥ１２−５、ＮＥ１２−７にそれぞれＮＥ設定要求メッセージＭ２０３−１、Ｍ２０３−２、Ｍ２０３−３を送信する。
【０２７９】
ＮＥ設定要求メッセージＭ２０３−１、Ｍ２０３−２、Ｍ２０３−３をそれぞれ受信したＮＥ１２−３、ＮＥ１２−５、ＮＥ１２−７は、受信したＮＥ設定要求メッセージＭ２０３−１、Ｍ２０３−２、Ｍ２０３−３の設定情報３３１２−３に基づいて自装置の設定を行う。
【０２８０】
設定が完了すると、ＮＥ１２−３、ＮＥ１２−５、ＮＥ１２−７は、ＮＥ設定完了応答メッセージＭ２０４−１、Ｍ２０４−２、Ｍ２０４−３を論理回線１４上で自ＮＥの上流に位置するＮＥ１２−２、ＮＥ１２−４、ＮＥ１２−６にそれぞれ送信する。
【０２８１】
ＮＥ設定完了応答メッセージＭ２０４−１、Ｍ２０４−２、Ｍ２０４−３をそれぞれ受信したＮＥ１２−２、ＮＥ１２−４、ＮＥ１２−６は、先に受信したＮＥ設定要求メッセージＭ２０２−１、Ｍ２０２−２、Ｍ２０２−３の設定情報３３１２−２に基づいて自装置の設定を行う。
【０２８２】
設定が完了すると、ＮＥ１２−２、ＮＥ１２−４は、ＮＥ設定完了応答メッセージＭ２０５−１、Ｍ２０５−２を論理回線１４上で自ＮＥの上流に位置するＮＥ１２−１、ＮＥ１２−３にそれぞれ送信する。
【０２８３】
ここで、ＮＥ１２−６で設定に失敗すると、ＮＥ１２−６は、ＮＥ設定完了応答メッセージＭ２０５−３ではなく、ＮＥ設定失敗応答メッセージＭ２０５−５を上流のＮＥであるＮＥ１２−５に送信する。
【０２８４】
ＮＥ設定完了応答メッセージＭ２０５−１を受信したＮＥ１２−１は、先に受信した論理回線確立要求メッセージＭ２０１−１の設定情報３３１２−１に基づいて自装置の設定を行う。ＮＥ設定完了応答メッセージＭ２０５−２を受信したＮＥ１２−３は、先に受信した論理回線確立要求メッセージＭ２０１−２の設定情報３３１２−１に基づいて自装置の設定が行われていることを確認する。
【０２８５】
シグナリング区間において設定が正常に完了したシグナリング起点ＮＥであるＮＥ１２−１、ＮＥ１２−３は、自装置の設定を確認すると、管理装置１１に対して、論理回線確立成功応答メッセージＭ２０６−１、Ｍ２０６−２を送信する。
【０２８６】
ここで、設定に失敗したＮＥ１２−６からＮＥ設定失敗応答メッセージＭ２０５−５を受信したシグナリング起点ＮＥであるＮＥ１２−５は、当該シグナリング区間１４−３において、別の経路を探索する。ここでは、ＮＥ１２−５を始点、ＮＥ１２−７を終点とし、中継ＮＥが存在しない経路を発見したものとする。
【０２８７】
代替の経路を発見すると、シグナリング起点ＮＥであるＮＥ１２−５は、当該シグナリング区間１４−３においてのみ、途中まで設定した各ＮＥの設定を設定前の状態に戻すため、論理回線１４上で自ＮＥの下流に位置するＮＥ１２−６に対して、ＮＥ設定解除要求メッセージＭ２０８−３を送信する。
【０２８８】
ＮＥ設定解除要求メッセージＭ２０８−３を受信したＮＥ１２−６は、論理回線１４上で自ＮＥの下流に位置するＮＥ１２−７にＮＥ設定解除要求メッセージＭ２０９−３を送信する。
【０２８９】
各ＮＥにおける設定を解除する場合は、設定の場合と同様、各シグナリング区間において下流側のＮＥから設定が変更されていく。
【０２９０】
ＮＥ１２−７は、受信したＮＥ設定解除要求メッセージＭ２０９−３に基づいて自装置の設定の解除を行う。
【０２９１】
設定の解除を行うと、ＮＥ１２−７は、ＮＥ設定解除成功応答メッセージＭ２１０−３を論理回線１４上で自ＮＥの上流に位置するＮＥ１２−６に送信する。
【０２９２】
ＮＥ設定解除成功応答メッセージＭ２１０−３を受信したＮＥ１２−６は、先に受信したＮＥ設定解除要求メッセージＭ２０８−３に基づいて自装置の設定の解除を行う。
【０２９３】
設定の解除を行うと、ＮＥ１２−６は、ＮＥ設定解除成功応答メッセージＭ２１１−３を論理回線１４上で自ＮＥの上流に位置するＮＥ１２−５に送信する。なお、ＮＥ１２−７およびＮＥ１２−６は、装置の設定の解除に失敗した場合、ＮＥ設定解除失敗応答メッセージを送信する。
【０２９４】
下流のＮＥ１２−６からＮＥ設定解除の結果に関するメッセージを受信したシグナリング起点ＮＥのＮＥ１２−５は、受信したメッセージがＮＥ設定解除成功応答メッセージの場合、自装置の設定の解除を行う。
【０２９５】
つぎに、ＮＥ１２−５は、新たに探索した代替経路の経路情報を含んだＮＥ設定要求メッセージＭ２１４−３を、新たな経路上において下流のＮＥとなるＮＥ１２−７に送信する。
【０２９６】
ＮＥ設定要求メッセージＭ２１４−３を受信したＮＥ１２−７は、受信したＮＥ設定要求メッセージＭ２１４−３の設定情報３３１２−２に基づいて自装置の設定を行う。
【０２９７】
設定が完了すると、ＮＥ１２−７は、ＮＥ設定完了応答メッセージＭ２１５−３を論理回線１４上で自ＮＥの上流に位置するＮＥ１２−５に送信する。
【０２９８】
ＮＥ設定完了応答メッセージＭ２１５−３を受信したＮＥ１２−５は、自装置の設定を行う。
【０２９９】
つづいて、以上で説明した論理回線１４を確立する動作において、ＮＥにかかる動作の詳細をフローチャートに基づいて説明する。図２３は、本実施の形態においてＮＥが管理装置１１より論理回線確立要求メッセージを受信した場合に、下流のＮＥにＮＥ設定を要求するシグナリング起点ＮＥの動作を示すフローチャートである。図１３に示すフローチャートのステップＳ９１４の動作後、ステップＳ９１５の動作へ移行する前に、図２３のフローチャートの動作を挿入する。ここでは、シグナリング起点ＮＥとして、ＮＥ１２−５を例に説明する。
【０３００】
論理回線１４がＮＥ１２−１、ＮＥ１２−２、ＮＥ１２−３、ＮＥ１２−４、ＮＥ１２−５、ＮＥ１２−６、ＮＥ１２−７の経路で正常に確立された場合のＮＥの動作は実施の形態１と同様である。
【０３０１】
論理回線１４の確立に失敗した場合、すなわち、図１３において論理回線確立失敗と判定された場合（ステップＳ９１４）、本実施の形態では、ステップＳ９１５に移行することなく、図２３のステップＳ９１８へ移行し、シグナリング起点ＮＥであるＮＥ１２−５において、迂回経路探索部４２５は、論理回線確立に失敗したシグナリング区間１４−３の迂回経路を探索し決定する（ステップＳ９１８）。ここでは、ＮＥ１２−５を起点、ＮＥ１２−７を終点とし、中継点が存在しない経路に決定したものとする。
【０３０２】
迂回経路が見つかると、制御処理部４２１は、制御内容記憶部４２４に自ＮＥの設定情報として設定解除状態を記憶する（ステップＳ９１９）。
【０３０３】
制御処理部４２１は、ステップＳ９０１で受信した論理回線確立要求メッセージＭ２０１−３に記載の経路情報３３から次の宛先ＮＥを判定し、ＮＥ設定解除要求メッセージのメッセージペイロード３を生成してメッセージ処理部４３３に渡す（ステップＳ９２０）。ここでは、次の宛先ＮＥはＮＥ１２−６であり、経路情報３３として、経路上のすべてのＮＥの設定情報３３１２−ｉは「設定解除状態」となる。
【０３０４】
メッセージ処理部４３３は、ステップＳ９２０で制御処理部４２１より受け取った情報を元に、次の宛先であるＮＥ１２−６へのＮＥ設定解除要求メッセージを生成する（ステップＳ９２１）。
【０３０５】
メッセージ送信部４３２は、ステップＳ９２１で生成されたＮＥ設定解除要求メッセージをＮＥ１２−６に接続されている通信ポート４４−ｄ（１≦ｄ≦ｋ）から送信する（ステップＳ９２２）。
【０３０６】
このとき、制御処理部４２１は、制御タイマ４２３を起動する（ステップＳ９２３）。
【０３０７】
制御タイマ４２３が起動されると、制御処理部４２１は、制御タイマ４２３がタイムアウトしたか否かを確認する（ステップＳ９２４）。
【０３０８】
制御処理部４２１の確認の結果、制御タイマ４２３がタイムアウトしていない場合（ステップＳ９２４：Ｎｏ）、メッセージ受信部４３１は、下流のＮＥからＮＥ設定解除応答メッセージを受信したか否かを確認する（ステップＳ９２５）。
【０３０９】
メッセージ受信部４３１の確認の結果、ＮＥ設定解除応答メッセージを受信していない場合（ステップＳ９２５：Ｎｏ）、ステップＳ９２４に戻り、制御処理部４２１は、制御タイマ４２３がタイムアウトしたか否かを確認する（ステップＳ９２４）。
【０３１０】
メッセージ受信部４３１の確認の結果、ＮＥ設定解除応答メッセージを受信した場合（ステップＳ９２５：Ｙｅｓ）、制御処理部４２１が、ステップＳ９２５でメッセージ受信部４３１が受信したＮＥ設定解除応答メッセージがＮＥ設定解除完了応答か否かを確認する（ステップＳ９２６）。
【０３１１】
制御処理部４２１の確認の結果、受信したメッセージがＮＥ設定解除完了応答である場合（ステップＳ９２６：Ｙｅｓ）、装置制御部４１は、ステップＳ９１９で記憶した設定情報に基づいて自ＮＥの装置を設定済みか否かを確認する（ステップＳ９２７）。
【０３１２】
装置制御部４１の確認の結果、設定済みでない場合(ステップＳ９２７：Ｎｏ)、装置制御部４１は、ステップＳ９１９で制御内容記憶部４２４に記憶した設定情報に基づいて自ＮＥの装置を設定する（ステップＳ９２８）。なお、装置制御部４１の確認の結果、設定済みの場合(ステップＳ９２７：Ｙｅｓ)、装置制御部４１は、ステップＳ９２８の処理を省略する。
【０３１３】
装置制御部４１は、自ＮＥの装置の設定が成功したか否かを確認する（ステップＳ９２９）。装置制御部４１の確認の結果、成功の場合（ステップＳ９２９：Ｙｅｓ）、制御処理部４２１は、ステップＳ９１８で決定した迂回経路の情報を元に、制御内容記憶部４２４に自ＮＥの設定情報を記憶する（ステップＳ９３０）。
【０３１４】
さらに、ステップＳ９１８で決定した迂回経路の情報を元に、制御処理部４２１は、次の宛先ＮＥを判定するとともに、ＮＥ設定要求メッセージのメッセージペイロード３を生成してメッセージ処理部４３３に渡す（ステップＳ９３２）。ここでは、メッセージ識別子３１は「ＮＥ設定要求」であり、論理回線識別子３２はＩＤ−１４である。宛先ＮＥはＮＥ１２−７である。また、経路情報３３は次のような情報を持つ。
【０３１５】
ＮＥ識別子３３１１−１：ＮＥ１２−５
設定情報３３１２−１：リンク１３−４−５からの回線はリンク１３−５−７へ切替
【０３１６】
ＮＥ識別子３３１１−２：ＮＥ１２−７
設定情報３３１２−２：リンク１３−５−７からの回線を終端する
【０３１７】
以降は、図１３に示すステップＳ９０４の動作へ移行する。
【０３１８】
なお、ステップＳ９２４において、制御処理部４２１の確認の結果、制御タイマ４２３がタイムアウトしている場合（ステップＳ９２４：Ｙｅｓ）、ステップＳ９２６において、制御処理部４２１の確認の結果、ステップＳ９２５で受信したメッセージがＮＥ設定解除完了応答でない場合（ステップＳ９２６：Ｎｏ）、および、ステップＳ９２９において、装置制御部４１の確認の結果、装置制御部４１が自ＮＥの装置の設定に失敗した場合（ステップＳ９２９：Ｎｏ）、制御判定部４２２は、直ちに論理回路削除失敗と判定する（ステップＳ９３１）。
【０３１９】
以降は、図１３に示すステップＳ９１５の動作へ移行する。
【０３２０】
以上説明したように、本実施の形態では、実施の形態２と同様、次のような効果が得られる。大規模なネットワークにおいて論理回線を確立する際、管理装置１１が、論理回線１４を複数のシグナリング区間に分割した各シグナリング区間の起点となるＮＥに論理回線確立指示を出し、その論理回線１４の確立応答の有無をシグナリング区間ごとに管理することとした。これにより、複数のシグナリング起点ＮＥが並列にシグナリングを行い、管理装置１１の処理負荷やＤＣＮの通信負荷を軽減すると同時に、高速に論理回線の確立を行なうことが可能となる。
【０３２１】
さらに、実施の形態２は、管理装置１１が、論理回線確立が成功か失敗かという結果を区間ごとに管理することで、一部のシグナリング区間において論理回線確立に失敗した場合に、当該区間において、管理装置１１が、別の経路を探索してその区間のみを再設定し、論理回線確立をより高速化できると同時に論理回線確立の成功率を高め信頼性を向上するものであったが、本実施の形態では、各シグナリング起点ＮＥが、自ＮＥが起点となるシグナリング区間の論理回線確立結果を保持し、迂回経路計算機能を持つことで当該区間において論理回線確立に失敗した場合に自律的に当該シグナリング区間のみの経路探索およびシグナリングを行なう。これにより、一部のシグナリング区間において論理回線確立に失敗した場合にも、さらに高速かつ管理装置の処理負荷やＤＣＮの通信負荷を抑止しながら論理回線確立の成功率を高め信頼性を向上するという効果が得られる。
【産業上の利用可能性】
【０３２２】
以上のように、本発明にかかる通信システムは、複数のネットワーク装置を有するシステムに有用であり、特に、コネクションオリエンテッドなネットワークのシステムに適している。
【符号の説明】
【０３２３】
３  メッセージペイロード、６  シグナリング起点ＮＥ数記憶テーブル、７Ａ，７Ｂ  シグナリング起点ＮＥ応答結果記憶テーブル、１１  管理装置、１２  ネットワーク、１２−１〜１２−１３  ＮＥ、１４  論理回線、１４−１〜１４−３  シグナリング区間、１５  ＤＣＮ、３１  メッセージ識別子、３２  論理回線識別子、３３  経路情報、４１  装置制御部、４２，４２ａ  論理回線制御部、４３  監視制御通信部、４４−１〜４４−ｋ  通信ポート、５１  論理回線制御部、５２  監視制御通信部、５３  通信ポート、６１  論理回線識別子領域、６２  シグナリング起点ＮＥ数記憶領域、７１  シグナリング起点ＮＥ識別子領域、７２  応答の有無記憶領域、７３  結果領域、３３１−１〜３３１−ｉ  ＮＥ設定情報、４２１  制御処理部、４２２  制御判定部、４２３  制御タイマ、４２４  制御内容記憶部、４２５  迂回経路探索部、４３１  メッセージ受信部、４３２  メッセージ送信部、４３３  メッセージ処理部、５１１  制御処理部、５１２  制御判定部、５１３  制御タイマ、５１４  経路決定部、５１５  制御結果記憶部、５２１  メッセージ受信部、５２２  メッセージ送信部、５２３  メッセージ処理部、３３１１−１〜３３１１−ｉ  ＮＥ識別子、３３１２−１〜３３１２−ｉ  設定情報。
【図１】
2014068167.tif 000003
【図２】
2014068167.tif 000004
【図３】
2014068167.tif 000005
【図４】
2014068167.tif 000006
【図５】
2014068167.tif 000007
【図６】
2014068167.tif 000008
【図７】
2014068167.tif 000009
【図８】
2014068167.tif 000010
【図９】
2014068167.tif 000011
【図１０】
2014068167.tif 000012
【図１１】
2014068167.tif 000013
【図１２】
2014068167.tif 000014
【図１３】
2014068167.tif 000015
【図１４】
2014068167.tif 000016
【図１５】
2014068167.tif 000017
【図１６】
2014068167.tif 000018
【図１７】
2014068167.tif 000019
【図１８】
2014068167.tif 000020
【図１９】
2014068167.tif 000021
【図２０】
2014068167.tif 000022
【図２１】
2014068167.tif 000023
【図２２】
2014068167.tif 000024
【図２３】
2014068167.tif 000025